(57)【要約】  周波数分割多元接続通信を保護するためのシステム、方法、およびデバイスが提供される。１次周波数チャネルと２次周波数チャネルとを介した通信システムにおけるワイヤレス通信のための方法が提供される。本方法は、１次周波数チャネルを利用してアクセスポイントによって第１の予約フレームを送信することを含み、第１の予約フレームは、複数のワイヤレスデバイスとの１次周波数チャネルを介したアップリンクおよびダウンリンク通信のために予約された第１の単一の時間間隔を示す。本方法は、２次周波数チャネルを利用してアクセスポイントによって第２の予約フレームを送信することを含み、第２の予約フレームは、２次周波数チャネルを介したアップリンクおよびダウンリンク通信のために予約された第２の単一の時間間隔を示す。本方法は、第１の単一の時間間隔中に１次周波数チャネルを介してアクセスポイントと複数のワイヤレスデバイスとの間で通信することを含む。【選択図】  図１
2017531933.tif 000002
【特許請求の範囲】
【請求項１】
１次周波数チャネルと２次周波数チャネルとを介した通信システムにおけるワイヤレス通信のための方法であって、
前記１次周波数チャネルを利用してアクセスポイントによって第１の予約フレームを送信することと、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して前記アクセスポイントによって第２の予約フレームを送信することと、前記第２の予約フレームが、前記複数のワイヤレスデバイスとの前記２次周波数チャネルを介したアップリンクおよびダウンリンク通信のために予約された第２の単一の時間間隔を示す、
前記第１の単一の時間間隔中に前記１次周波数チャネルを介しておよび前記第２の単一の時間間隔中に前記２次周波数チャネルを介して前記アクセスポイントと前記複数のワイヤレスデバイスとの間で通信することと
を備える、方法。
【請求項２】
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームと、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームと
のうちの少なくとも１つを前記アクセスポイントによって送信することをさらに備える、請求項１に記載の方法。
【請求項３】
前記第１の単一の時間間隔の間の前記１次周波数チャネルの予約を確認する前記１次周波数チャネルを介した確認フレームと、
前記第２の単一の時間間隔の間の前記２次周波数チャネルの予約を確認する前記２次周波数チャネルを介した確認フレームと
のうちの少なくとも１つを前記アクセスポイントによって受信することをさらに備える、請求項１に記載の方法。
【請求項４】
前記１次周波数チャネルを介してではなく前記２次周波数チャネルを介して前記確認フレームを受信したことに基づいて前記第２の単一の時間間隔の間の前記１次周波数チャネルの予約を維持するために前記１次周波数チャネルを介して自己への送信可（ＣＴＳ）フレームを前記アクセスポイントによって送信することをさらに備える、請求項３に記載の方法。
【請求項５】
前記確認フレームがＣＴＳフレームを備える、請求項３に記載の方法。
【請求項６】
前記第１の予約フレームと前記第２の予約フレームとがそれぞれ、送信要求（ＲＴＳ）フレームと、ＣＴＳフレームと、トリガフレームとのうちの１つを備える、請求項１に記載の方法。
【請求項７】
前記アクセスポイントが送信要求フレームを受信したことに基づいて少なくとも前記第１の予約フレームが送信される、請求項１に記載の方法。
【請求項８】
１次周波数チャネルと２次周波数チャネルとを介した通信システムにおけるワイヤレス通信のためのアクセスポイントであって、前記アクセスポイントは、
前記１次周波数チャネルを利用して第１の予約フレームを送信することと、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して第２の予約フレームを送信することと、前記第２の予約フレームが、前記複数のワイヤレスデバイスとの前記２次周波数チャネルを介したアップリンクおよびダウンリンク通信のために予約された第２の単一の時間間隔を示す、
前記第１の単一の時間間隔中に前記１次周波数チャネルを介しておよび前記第２の単一の時間間隔中に前記第２の周波数チャネルを介して前記複数のワイヤレスデバイスと通信することと
を行うようにトランシーバに命令するように構成されたプロセッサ
を備える、アクセスポイント。
【請求項９】
前記プロセッサが、
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームと、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームと
のうちの少なくとも１つを送信するように前記トランシーバに命令するようにさらに構成された、請求項８に記載のアクセスポイント。
【請求項１０】
前記トランシーバが、
前記第１の単一の時間間隔の間の前記１次周波数チャネルの予約を確認する前記１次周波数チャネルを介した確認フレームと、
前記第２の単一の時間間隔の間の前記２次周波数チャネルの予約を確認する前記２次周波数チャネルを介した確認フレームと
のうちの少なくとも１つを受信するようにさらに構成された、請求項８に記載のアクセスポイント。
【請求項１１】
前記プロセッサは、前記トランシーバが前記１次周波数チャネルを介してではなく前記２次周波数チャネルを介して前記確認フレームを受信したことに基づいて前記第２の単一の時間間隔の間の前記１次周波数チャネルの予約を維持するために前記１次周波数チャネルを介して自己への送信可（ＣＴＳ）フレームを送信するように前記トランシーバに命令するようにさらに構成された、請求項１０に記載のアクセスポイント。
【請求項１２】
前記確認フレームがＣＴＳフレームを備える、請求項１０に記載のアクセスポイント。
【請求項１３】
前記第１の予約フレームと前記第２の予約フレームとが、送信要求（ＲＴＳ）フレームと、自己へのＣＴＳフレームと、トリガフレームとのうちの１つを備える、請求項８に記載のアクセスポイント。
【請求項１４】
前記プロセッサは、さらに構成され、前記トランシーバが送信要求フレームを受信したことに基づいて少なくとも前記第１の予約フレームを送信するように前記トランシーバに命令する、請求項８に記載のアクセスポイント。
【請求項１５】
実行されたとき、１次周波数チャネルと２次周波数チャネルとを介した通信システムにおけるワイヤレス通信のためのアクセスポイントに、
前記１次周波数チャネルを利用して第１の予約フレームを送信することと、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して第２の予約フレームを送信することと、前記第２の予約フレームが、前記複数のワイヤレスデバイスとの前記２次周波数チャネルを介したアップリンクおよびダウンリンク通信のために予約された第２の単一の時間間隔を示す、
前記第１の単一の時間間隔中に前記１次周波数チャネルを介しておよび前記第２の単一の時間間隔中に前記２次周波数チャネルを介して前記アクセスポイントと前記複数のワイヤレスデバイスとの間で通信することと
を行わせるコードを備える非一時的コンピュータ可読媒体。
【請求項１６】
前記コードが、実行されたとき、
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームと、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームと
のうちの少なくとも１つを送信することを前記アクセスポイントにさらに行わせる、請求項１５に記載の媒体。
【請求項１７】
前記コードが、実行されたとき、
前記第１の単一の時間間隔の間の前記１次周波数チャネルの予約を確認する前記１次周波数チャネルを介した確認フレームと、
前記第２の単一の時間間隔の間の前記２次周波数チャネルの予約を確認する前記２次周波数チャネルを介した確認フレームと
のうちの少なくとも１つを送信することを前記アクセスポイントにさらに行わせる、請求項１５に記載の媒体。
【請求項１８】
前記コードが、実行されたとき、前記１次周波数チャネルを介してではなく前記２次周波数チャネルを介して前記確認フレームを受信したことに基づいて前記第２の単一の時間間隔の間の前記１次周波数チャネルの予約を維持するために前記１次周波数チャネルを介して自己への送信可（ＣＴＳ）フレームを送信することを前記アクセスポイントにさらに行わせる、請求項１７に記載の媒体。
【請求項１９】
前記確認フレームがＣＴＳフレームを備える、請求項１７に記載の媒体。
【請求項２０】
前記第１の予約フレームと前記第２の予約フレームとがそれぞれ、送信要求（ＲＴＳ）フレームと、自己へのＣＴＳフレームと、トリガフレームとのうちの１つを備える、請求項１５に記載の媒体。
【請求項２１】
前記アクセスポイントが送信要求フレームを受信したことに基づいて少なくとも前記第１の予約フレームが送信される、請求項１５に記載の媒体。
【請求項２２】
１次周波数チャネルと２次周波数チャネルとを介した通信システムにおけるワイヤレス通信のためのアクセスポイントであって、前記アクセスポイントは、
前記１次周波数チャネルを利用して第１の予約フレームを送信するための手段と、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して第２の予約フレームを送信するための手段と、前記第２の予約フレームが、複数のワイヤレスデバイスとの前記２次周波数チャネルを介したアップリンクおよびダウンリンク通信のために予約された第２の単一の時間間隔を示す、
前記第１の単一の時間間隔中に前記１次周波数チャネルを介しておよび前記第２の単一の時間間隔中に前記２次周波数チャネルを介して前記アクセスポイントと前記複数のワイヤレスデバイスとの間で通信するための手段と
を備える、アクセスポイント。
【請求項２３】
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームを送信するための手段と、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームを送信するための手段と
のうちの少なくとも１つをさらに備える、請求項２２に記載のアクセスポイント。
【請求項２４】
前記第１の単一の時間間隔の間の前記１次周波数チャネルの予約を確認する前記１次周波数チャネルを介した確認フレームを受信するための手段と、
前記第２の単一の時間間隔の間の前記２次周波数チャネルの予約を確認する前記２次周波数チャネルを介した確認フレームを受信するための手段と
のうちの少なくとも１つをさらに備える、請求項２２に記載のアクセスポイント。
【請求項２５】
前記１次周波数チャネルを介してではなく前記２次周波数チャネルを介して前記確認フレームを受信したことに基づいて前記第２の単一の時間間隔の間の前記１次周波数チャネルの予約を維持するために前記１次周波数チャネルを介して自己への送信可（ＣＴＳ）フレームを送信するための手段をさらに備える、請求項２４に記載のアクセスポイント。
【請求項２６】
前記確認フレームがＣＴＳフレームを備える、請求項２４に記載のアクセスポイント。
【請求項２７】
前記第１の予約フレームと前記第２の予約フレームとがそれぞれ、送信要求（ＲＴＳ）フレームと、自己への送信可（ＣＴＳ）フレームと、トリガフレームとのうちの１つを備える、請求項２２に記載のアクセスポイント。
【請求項２８】
ＲＴＳフレームを受信したことに基づいて前記少なくとも第１の予約フレームを送信するための手段をさらに備える、請求項２２に記載のアクセスポイント。
【発明の詳細な説明】
【技術分野】
【０００１】
[0001]本出願は、一般にワイヤレス通信に関し、より詳細には、ダウンリンクおよびアップリンク周波数分割多元接続通信のための保護および帯域幅選択のためのシステム、方法、およびデバイスに関する。
【背景技術】
【０００２】
[0002]多くの電気通信システムでは、いくつかの対話している空間的に離れたデバイス間でメッセージを交換するために通信ネットワークが使用される。ワイヤレスネットワークは、しばしば、ネットワーク要素がモバイルであり、したがって動的接続性の必要を有するときに、またはネットワークアーキテクチャが固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定されたワイヤードネットワークと比較すると、ユーザモビリティと迅速なフィールド展開とを容易にする。
【０００３】
[0003]しかしながら、同じ建物内、近くの建物内、および／または同じ屋外エリア内に複数のワイヤレスネットワークが存在し得る。複数のワイヤレスネットワークの普及は、（たとえば、各ワイヤレスネットワークが同じエリアおよび／または周波数帯において動作しているので）干渉、スループットの低下を招くことがあり、ならびに／あるいはいくつかのデバイスが通信するのを妨げることがある。したがって、ダウンリンクおよびアップリンク周波数分割多元接続通信のための保護および帯域幅選択のための改善されたシステム、方法、およびデバイスが望まれる。
【発明の概要】
【０００４】
[0004]本出願のシステム、方法、およびデバイスは、それぞれいくつかの態様を有し、それらのうちの単一の態様が単独で本発明の望ましい属性を担当するとは限らない。次に、以下の特許請求の範囲によって表される本出願の範囲を限定することなしに、いくつかの特徴について手短に説明する。この説明を考慮した後、特に「発明を実施するための形態」と題するセクションを読んだ後、本出願の特徴が、ワイヤレスネットワーク中のアクセスポイントと局との間の改善された通信を含む利点をどのように提供するかが理解されよう。
【０００５】
[0005]本開示の一態様は、１次周波数チャネルと２次周波数チャネルとを介した通信システムにおけるワイヤレス通信のための方法を提供する。本方法は、１次周波数チャネルを利用してアクセスポイントによって第１の予約フレーム（first reservation frame）を送信することを備え、第１の予約フレームは、複数のワイヤレスデバイスとの１次周波数チャネルを介したアップリンクおよびダウンリンク通信のために予約された第１の単一の時間間隔を示す。本方法は、２次周波数チャネルを利用してアクセスポイントによって第２の予約フレームを送信することを備え、第２の予約フレームは、複数のワイヤレスデバイスとの２次周波数チャネルを介したアップリンクおよびダウンリンク通信のために予約された第２の単一の時間間隔を示す。本方法は、第１の単一の時間間隔中に１次周波数チャネルを介してアクセスポイントと複数のワイヤレスデバイスとの間で通信することを備える。
【０００６】
[0006]別の態様は、１次周波数チャネルと２次周波数チャネルとを介した通信システムにおけるワイヤレス通信のためのアクセスポイントを提供する。アクセスポイントは、１次周波数チャネルを利用して第１の予約フレームを送信するようにトランシーバに命令するように構成されたプロセッサを備え、第１の予約フレームは、複数のワイヤレスデバイスとの１次周波数チャネルを介したアップリンクおよびダウンリンク通信のために予約された第１の単一の時間間隔を示す。プロセッサは、２次周波数チャネルを利用して第２の予約フレームを送信するように送信機に命令するようにさらに構成され、第２の予約フレームは、複数のワイヤレスデバイスとの２次周波数チャネルを介したアップリンクおよびダウンリンク通信のために予約された第２の単一の時間間隔を示す。プロセッサは、第１の単一の時間間隔中に１次周波数チャネルを介しておよび第２の単一の時間間隔中に第２の周波数チャネルを介して複数のワイヤレスデバイスと通信するようにトランシーバに命令するようにさらに構成される。
【０００７】
[0007]別の態様は、コードを備える非一時的コンピュータ可読媒体を提供する。コードは、実行されたとき、１次周波数チャネルと２次周波数チャネルとを介した通信システムにおけるワイヤレス通信のためのアクセスポイントに１次周波数チャネルを利用して第１の予約フレームを送信させ、第１の予約フレームは、複数のワイヤレスデバイスとの１次周波数チャネルを介したアップリンクおよびダウンリンク通信のために予約された第１の単一の時間間隔を示す。コードは、実行されたとき、アクセスポイントに２次周波数チャネルを利用して第２の予約フレームをさらに送信させ、第２の予約フレームは、複数のワイヤレスデバイスとの２次周波数チャネルを介したアップリンクおよびダウンリンク通信のために予約された第２の単一の時間間隔を示す。コードは、実行されたとき、アクセスポイントに、第１の単一の時間間隔中に１次周波数チャネルを介しておよび第２の単一の時間間隔中に２次周波数チャネルを介してアクセスポイントと複数のワイヤレスデバイスとの間でさらに通信させる。
【０００８】
[0008]別の態様は、１次周波数チャネルと２次周波数チャネルとを介した通信システムにおけるワイヤレス通信のためのアクセスポイントを提供する。アクセスポイントは、１次周波数チャネルを利用して第１の予約フレームを送信するための手段を備え、第１の予約フレームは、複数のワイヤレスデバイスとの１次周波数チャネルを介したアップリンクおよびダウンリンク通信のために予約された第１の単一の時間間隔を示す。アクセスポイントは、２次周波数チャネルを利用して第２の予約フレームを送信するための手段をさらに備え、第２の予約フレームは、複数のワイヤレスデバイスとの２次周波数チャネルを介したアップリンクおよびダウンリンク通信のために予約された第２の単一の時間間隔を示す。アクセスポイントは、第１の単一の時間間隔中に１次周波数チャネルを介しておよび第２の単一の時間間隔中に２次周波数チャネルを介してアクセスポイントと複数のワイヤレスデバイスとの間で通信するための手段を備える。
【図面の簡単な説明】
【０００９】
【図１】[0009]本開示の態様が利用され得る例示的なワイヤレス通信システムを示す図。
【図２】[0010]図１のワイヤレス通信システム内で採用され得る周波数多重化技法を示す図。
【図３】[0011]図１のワイヤレス通信システム内で採用され得る例示的なワイヤレスデバイスの機能ブロック図。
【図４】[0012]送信可（ＣＴＳ：clear to send）フレームの一例を示す図。
【図５】[0013]送信要求（ＲＴＳ：request to send）フレームの一例を示す図。
【図６】[0014]コンテンションフリー終了（ＣＦ  ｅｎｄ：contention free end）フレームの一例を示す図。
【図７】[0015]トリガフレームの一例を示す図。
【図８Ａ】[0016]本開示の態様が採用され得るタイミング図。
【図８Ｂ】本開示の態様が採用され得るタイミング図。
【図８Ｃ】本開示の態様が採用され得るタイミング図。
【図８Ｄ】本開示の態様が採用され得るタイミング図。
【図９Ａ】[0017]本開示の態様が採用され得る他のタイミング図。
【図９Ｂ】本開示の態様が採用され得る他のタイミング図。
【図９Ｃ】本開示の態様が採用され得る他のタイミング図。
【図９Ｄ】本開示の態様が採用され得る他のタイミング図。
【図１０Ａ】[0018]本開示の態様が採用され得る他のタイミング図。
【図１０Ｂ】本開示の態様が採用され得る他のタイミング図。
【図１０Ｃ】本開示の態様が採用され得る他のタイミング図。
【図１０Ｄ】本開示の態様が採用され得る他のタイミング図。
【図１１Ａ】[0019]本開示の態様が採用され得る他のタイミング図。
【図１１Ｂ】本開示の態様が採用され得る他のタイミング図。
【図１１Ｃ】本開示の態様が採用され得る他のタイミング図。
【図１１Ｄ】本開示の態様が採用され得る他のタイミング図。
【図１２Ａ】[0020]本開示の態様が採用され得る他のタイミング図。
【図１２Ｂ】本開示の態様が採用され得る他のタイミング図。
【図１２Ｃ】本開示の態様が採用され得る他のタイミング図。
【図１２Ｄ】本開示の態様が採用され得る他のタイミング図。
【図１３】[0021]図１のワイヤレス通信システム内で採用され得るワイヤレス通信の例示的な方法の図。
【発明を実施するための形態】
【００１０】
[0022]添付の図面を参照しながら、新規のシステム、装置、および方法の様々な態様について、以下でより十分に説明する。しかしながら、本開示は、多くの異なる形態で実施され得、本開示全体を通して提示される特定の構造または機能に限定されるものと解釈されるべきでない。そうではなく、これらの態様は、本開示が周到で完全になり、本開示の範囲を当業者に十分に伝えるように提供される。本明細書の教示に基づいて、本開示の範囲は、本出願の他の態様とは無関係に実装されるにせよ、本出願の他の態様と組み合わせられるにせよ、本明細書で開示する新規のシステム、装置、および方法のいかなる態様をも包含するものであることを、当業者は諒解されたい。たとえば、本明細書に記載された任意の数の態様を使用して装置が実装され得、または方法が実施され得る。さらに、本出願の範囲は、本明細書に記載された本出願の様々な態様に加えてまたはそれらの態様以外に、他の構造、機能、または構造および機能を使用して実施されるそのような装置または方法を包含するものである。本明細書で開示するどんな態様も、請求項の１つまたは複数の要素によって実施され得ることを理解されたい。
【００１１】
[0023]特定の態様について本明細書で説明するが、これらの態様の多くの変形および置換は本開示の範囲内に入る。好適な態様のいくつかの利益および利点について説明するが、本開示の範囲は、特定の利益、使用、または目的に限定されるものではない。そうではなく、本開示の態様は、様々なワイヤレス技術、システム構成、ネットワーク、および送信プロトコルに広く適用可能であるものであり、それらのいくつかを例として、図において、および好適な態様についての以下の説明において示す。詳細な説明および図面は、限定的ではなく、本開示の例示にすぎず、本開示の範囲は、添付の特許請求の範囲とそれの均等物とによって定義される。
【００１２】
[0024]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ワイヤレスプロトコルなど、どんな通信規格にも適用され得る。
【００１３】
[0025]いくつかの態様では、ワイヤレス信号は、直交周波数分割多重化（ＯＦＤＭ）、直接シーケンススペクトル拡散（ＤＳＳＳ）通信、ＯＦＤＭとＤＳＳＳ通信との組合せ、または他の方式を使用して、高効率８０２．１１プロトコルに従って送信され得る。高効率８０２．１１プロトコルの実装形態は、インターネットアクセス、センサー、メータリング、スマートグリッドネットワーク、または他のワイヤレス適用例のために使用され得る。有利には、本明細書で開示する技法を使用する高効率８０２．１１プロトコルを実装するいくつかのデバイスの態様は、同じエリア内で増大したピアツーピアサービス（たとえば、Ｍｉｒａｃａｓｔ、ＷｉＦｉ  Ｄｉｒｅｃｔ（登録商標）  Ｓｅｒｖｉｃｅｓ、Ｓｏｃｉａｌ  ＷｉＦｉ（登録商標）など）を可能にすること、増大したユーザ当たり最小スループット要件をサポートすること、より多くのユーザをサポートすること、改善された屋外カバレージとロバストネス（robustness）とをもたらすこと、および／または他のワイヤレスプロトコルを実装するデバイスよりも少ない電力を消費することを含み得る。
【００１４】
[0026]いくつかの実装形態では、ＷＬＡＮは、このワイヤレスネットワークにアクセスする構成要素である様々なデバイスを含む。たとえば、アクセスポイント（「ＡＰ」）およびクライアント（局または「ＳＴＡ」とも呼ばれる）という、２つのタイプのデバイスが存在し得る。概して、ＡＰはＷＬＡＮのためのハブまたは基地局として働き得、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るために、ＷｉＦｉ（たとえば、ＩＥＥＥ８０２．１１プロトコル）に準拠したワイヤレスリンクを介してＡＰに接続する。いくつかの実装形態では、ＳＴＡはＡＰとしても使用され得る。
【００１５】
[0027]アクセスポイント（「ＡＰ」）はまた、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００１６】
[0028]局「ＳＴＡ」はまた、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）フォン、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、またはワイヤレス媒体を介して通信するように構成された任意の他の好適なデバイスに組み込まれ得る。
【００１７】
[0029]上記で説明したように、本明細書で説明するデバイスのいくつかは、たとえば、高効率８０２．１１規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサー適用例を提供するか、またはホームオートメーションにおいて使用され得る。デバイスは、代わりにまたは追加として、たとえばパーソナルヘルスケアのためにヘルスケアコンテキストにおいて使用され得る。それらのデバイスはまた、（たとえば、ホットスポットとともに使用する）拡張された範囲のインターネット接続性を可能にするために、またはマシンツーマシン通信を実装するために、監視のために使用され得る。
【００１８】
[0030]図１は、本開示の態様が採用され得るワイヤレス通信システム１００の一例を示す。ワイヤレス通信システム１００は、ワイヤレス規格、たとえば８０２．１１ａｈ、８０２．１１ａｃ、８０２．１１ｎ、８０２．１１ｇおよび８０２．１１ｂ規格のうちの少なくとも１つに従って動作し得る。ワイヤレス通信システム１００は、ＳＴＡ１０６ａ、１０６ｂ、１０６ｃ、および／または１０６ｄ（まとめてＳＴＡ１０６またはＳＴＡ１０６ａ〜１０６ｄと呼ばれる）のうちの１つまたは複数と通信するＡＰ１０４を含み得る。
【００１９】
[0031]ＡＰ１０４とＳＴＡ１０６との間のワイヤレス通信システム１００における送信のために様々な処理および方法が使用され得る。たとえば、信号は、直交周波数分割多重化（ＯＦＤＭ）および／または直交周波数分割多元接続（ＯＦＤＭＡ）技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、符号分割多元接続（ＣＤＭＡ）技法に従って、ＡＰ１０４とＳＴＡ１０６との間で送信および受信され得る。この場合、ワイヤレス通信システム１００はＣＤＭＡシステムと呼ばれることがある。
【００２０】
[0032]ＡＰ１０４からＳＴＡ１０６のうちの１つまたは複数への送信を可能にする通信リンクはダウンリンク（ＤＬ）と呼ばれることがあり、ＳＴＡ１０６のうちの１つまたは複数からＡＰ１０４への送信を可能にする通信リンクはアップリンク（ＵＬ）と呼ばれることがある。代替的に、ダウンリンクは順方向リンクまたは順方向チャネルと呼ばれることがあり、アップリンクは逆方向リンクまたは逆方向チャネルと呼ばれることがある。
【００２１】
[0033]ＡＰ１０４は、基本サービスエリア（ＢＳＡ）１０２においてワイヤレス通信カバレージを与え得る。ＡＰ１０４は、ＡＰ１０４に関連し、通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろＳＴＡ１０６間のピアツーピアネットワークとして機能し得ることに留意されたい。したがって、本明細書で説明するＡＰ１０４の機能は、代替的にＳＴＡ１０６のうちの１つまたは複数によって実施され得る。
【００２２】
[0034]ＡＰ１０４とＳＴＡ１０６ａ〜１０６ｄとの各々は、図２に関してより詳細に説明され、ダウンリンクおよびアップリンク周波数分割多元接続通信のための保護および帯域幅選択を指示または制御するために利用され得る、多重化制御モジュール２２４を含み得る。
【００２３】
[0035]図２は、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４、またはＳＴＡ１０６のうちの１つを備え得る。
【００２４】
[0036]ワイヤレスデバイス２０２は、ＡＰ１０４および／またはＳＴＡ１０６ａ〜１０６ｄに関して本出願で説明する任意の方法、アクションまたは手順を実施するように構成され得る、多重化制御モジュール２２４を含み得る。多重化制御モジュール２２４は、ワイヤレスデバイス２０２の動作を制御するプロセッサ２０４を含み得る。プロセッサ２０４は中央処理ユニット（ＣＰＵ）と呼ばれることもある。いくつかの実装形態では、多重化制御モジュール２２４は、読取り専用メモリ（ＲＯＭ）とランダムアクセスメモリ（ＲＡＭ）の両方を含み得るメモリ２０６をさらに備え得、プロセッサ２０４に命令およびデータを与える。メモリ２０６の一部は、不揮発性ランダムアクセスメモリ（ＮＶＲＡＭ）をも含み得る。プロセッサ２０４は、一般に、メモリ２０６内に記憶されたプログラム命令に基づいて論理演算と算術演算とを実施する。メモリ２０６中の命令は、本明細書で説明する方法を実装するように実行可能であり得る。
【００２５】
[0037]プロセッサ２０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械（state machines）、ゲート論理、個別ハードウェア構成要素、専用ハードウェア有限状態機械、あるいは情報の計算または他の操作を実施することができる任意の他の好適なエンティティの任意の組合せを用いて実装され得る。
【００２６】
[0038]処理システムはまた、ソフトウェアを記憶するための機械可読媒体を含み得る。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、コード（たとえばソースコードフォーマット、バイナリコードフォーマット、実行可能コードフォーマット、または任意の他の好適なコードフォーマットのもの）を含み得る。命令は、１つまたは複数のプロセッサによって実行されたとき、処理システムに、本明細書で説明する様々な機能を実施させる。
【００２７】
[0039]ワイヤレスデバイス２０２はまた、ワイヤレスデバイス２０２と遠隔ロケーションとの間のデータの送信および受信を可能にするために送信機１７０と受信機１７２とを含み得るハウジング２０８を含み得る。送信機１７０および受信機１７２はトランシーバ１７４へと組み合わされ得る。アンテナ１７６は、ハウジング２０８に取り付けられ、トランシーバ１７４に電気的に結合され得る。ワイヤレスデバイス２０２はまた、たとえば、多入力多出力（ＭＩＭＯ）通信中に利用され得る、（図示しない）複数の送信機、複数の受信機、複数のトランシーバ、および／または複数のアンテナを含み得る。
【００２８】
[0040]ワイヤレスデバイス２０２はまた、トランシーバ１７４によって受信された信号のレベルを検出し定量化するために使用され得る信号検出器１７８を含み得る。信号検出器１７８は、そのような信号を、総エネルギー、シンボルごとのサブキャリア当たりのエネルギー、電力スペクトル密度および他の信号として検出し得る。ワイヤレスデバイス２０２はまた、信号を処理するのに使用するためのデジタル信号プロセッサ（ＤＳＰ）２２０を含み得る。ＤＳＰ２２０は、送信のためのデータユニットを生成するように構成され得る。いくつかの態様では、データユニットは物理レイヤデータユニット（ＰＰＤＵ：physical layer data unit）を備え得る。いくつかの態様では、ＰＰＤＵはパケットと呼ばれる。
【００２９】
[0041]ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を搬送し、および／またはそのユーザから入力を受信する、任意の要素または構成要素を含み得る。
【００３０】
[0042]ワイヤレスデバイス２０２の様々な構成要素は、バスシステム２２６によって互いに結合され得る。バスシステム２２６は、たとえば、データバス、ならびに、データバスに加えて、電力バス、制御信号バス、およびステータス信号バスを含み得る。ワイヤレスデバイス２０２の構成要素は、何らかの他の機構を使用して、互いに結合されるか、または互いに入力を受け付け、または与え得ることを当業者は諒解されよう。
【００３１】
[0043]図２には、いくつかの別個の構成要素が示されているが、構成要素のうちの１つまたは複数が組み合わされ得るかまたは共通に実装され得ることを当業者は認識されよう。たとえば、プロセッサ２０４は、プロセッサ２０４に関して上記で説明した機能を実装するためだけでなく、信号検出器１７８および／またはＤＳＰ２２０に関して上記で説明した機能を実装するためにも使用され得る。さらに、図２に示されている構成要素の各々は、複数の別個の要素を使用して実装され得る。
【００３２】
[0044]上記で説明したように、ワイヤレスデバイス２０２は、ＡＰ１０４またはＳＴＡ１０６を備え得、通信を送信および／または受信するために使用され得る。ワイヤレスネットワークにおいてデバイス間で交換される通信は、パケットまたはフレームを備え得るデータユニットを含み得る。いくつかの態様では、データユニットは、データフレーム、制御フレーム、および／または管理フレームを含み得る。データフレームは、ＡＰおよび／またはＳＴＡから他のＡＰおよび／またはＳＴＡにデータを送信するために使用され得る。制御フレームは、様々な動作を実施するため、およびデータを確実に送達するためのデータフレーム（たとえば、データの受信を肯定応答すること、ＡＰのポーリング、エリアクリアリング動作、チャネル取得、キャリア検知維持機能など）とともに使用され得る。管理フレームは、様々な監督機能のために（たとえば、ワイヤレスネットワークに接続し、そこから離脱するためなどに）使用され得る。
【００３３】
[0045]本開示のいくつかの態様は、ＡＰ１０４が、効率を改善するのに最適化された方法でＳＴＡ１０６の送信をスケジュールすることを可能にすることをサポートする。高効率ワイヤレス（ＨＥＷ：high efficiency wireless）局、８０２．１１高効率プロトコルを利用する局と、より古いまたはレガシー８０２．１１プロトコルを使用する局の両方は、ワイヤレス媒体へのアクセスをめぐって競合し得る。本明細書で説明する高効率８０２．１１プロトコルは、アップリンク周波数分割多元接続（ＦＤＭＡ）通信とダウンリンクＦＤＭＡ通信の両方に共存および帯域幅選択を選択的に与えるために複数の送信および／または受信フレームタイプのうちの１つまたは複数を利用する、修正された機構の下でデバイスが動作することを可能にし得る。
【００３４】
[0046]いくつかの実装形態では、ワイヤレスデバイスは、媒体を介して通信するためにＦＤＭＡ技法を使用する。たとえば、一実装形態では、第１のデバイスは、利用可能な帯域幅の第１のサブセットを使用して通信することができ、一方、第２のデバイスは、利用可能な帯域幅の第２のサブセットを使用して通信することができる。チャネル、サブチャネル、利用可能な帯域幅、およびそれらのサブセットは、概して、本明細書では連続するように示されるが、本明細書で使用するそれらの用語は、連続する周波数、インターリーブされた周波数、周波数ホッピングありまたはなしの隣接または非隣接トーンのセットなどをも包含することができることを、当業者は諒解されよう。
【００３５】
[0047]図３は、図１のワイヤレス通信システム１００内で採用され得る周波数多重化技法を示す。図３に示されているように、ワイヤレス通信システム３００内にＡＰ３０４ならびにＳＴＡ３０６ｃおよびＳＴＡ２０６ｄが存在し得る。説明を簡単にするために２つのＳＴＡのみが示されているが、本出願はそのように限定されず、任意の数のＳＴＡがワイヤレス通信システム３００中に含まれ得る。さらに、ＳＴＡ３０６ｃおよびＳＴＡ３０６ｄはそれぞれラップトップおよびワイヤレスルータとして示されているが、本出願はそのように限定されず、ＳＴＡ３０６ｃおよび３０６ｄは、限定なしにいかなるワイヤレス局デバイスでもあり得る。通信媒体の利用可能な帯域幅は、ライセンシング団体、標準化団体によって設定されるか、あるいはデバイスによってプリセットまた検出され得る。たとえば、８０２．１１規格では、利用可能な帯域幅は８０ＭＨｚであり得る。レガシー８０２．１１プロトコルの下で、ＡＰ３０４とＳＴＡ３０５ｃおよびＳＴＡ３０６ｄとの各々は、帯域幅全体を使用して通信することを試み、それによりスループットが低減され得る。場合によっては、ＡＰ３０４は、実際には利用可能な帯域幅のサブセット上でのみ通信しているが、帯域幅全体を予約することがある。たとえば、レガシーチャネルは２０ＭＨｚ帯域幅を有することができる。しかしながら、ＦＤＭＡを使用する高効率８０２．１１プロトコルの下では、帯域幅は複数のサブチャネルに分割され得る。図３の図示された実装形態では、利用可能な帯域幅は複数のセグメント、たとえば２つのセグメント３０８および３１０（たとえば、それぞれチャネル１およびチャネル２）に分割され得る。ＡＰ３０４はセグメント３０８および３１０の各々に関連付けられ得るが、ＳＴＡ３０６ｃはセグメント３０８に関連付けられ得、ＳＴＡ３０６ｄはセグメント３１０に関連付けられ得る。様々な実装形態では、サブチャネルは、約１ＭＨｚと４０ＭＨＺとの間、約２ＭＨｚと１０ＭＨｚとの間、およびより詳細には約５ＭＨｚであり得る。上記で説明したように、サブチャネルは連続または不連続（たとえば、インターリーブされる）であり得る。
【００３６】
[0048]一実装形態では、ＡＰ３０４ならびにＳＴＡ３０６ｃおよび３０６ｄは、媒体の周波数スペクトルの一部分または全体を使用して通信し得る。たとえば、ＳＴＡ３０６ｃはセグメント３０８を使用して通信し得、一方、ＳＴＡ３０６ｄはセグメント３１０を使用して通信し得る。セグメント３０８および３１０は、通信媒体の異なる部分であるので、第１のセグメントを使用する第１の送信は、第２のセグメントを使用する第２の送信に干渉しないことになる。したがって、ワイヤレス通信システム３００のスループットが増大され得る。したがって、ＡＰ３０４ならびにＳＴＡ３０６ｃおよび３０６ｄは、アクティブなワイヤレスデバイスの数が増加してもレイテンシの低減とネットワークスループットの増大とを経験し得、それにより、ユーザエクスペリエンスが改善される。通信デバイスは、図４に関して以下でより詳細に説明するように、たとえば、ダウンリンクＦＤＭＡ通信のために通信用の特定のチャネルを保護または予約するために、自己への送信可フレーム（自己へのＣＴＳフレーム）を利用し得る。
【００３７】
[0049]図４は、ＣＴＳフレームの一例を示す。ＣＴＳフレーム４００は、通信用のチャネルを予約するためにデバイスによって送信され得る。ＣＴＳフレーム４００は、４つの異なるフィールド、すなわち、フレーム制御（ＦＣ）フィールド４０２と、持続時間フィールド４０４と、（受信機アドレス（ａ１）とも呼ばれる）受信機アドレス（ＲＡ）フィールド４０６と、フレーム検査シーケンス（ＦＣＳ）フィールド４０８とを含む。図４はさらに、フィールド４０２、４０４、４０６および４０８の各々のオクテットでのサイズをそれぞれ２、２、６および４と示している。ＲＡフィールド４０６は、４８ビット（６オクテット）値である、デバイスのフル媒体アクセス制御（ＭＡＣ）アドレスを含む。ＲＡフィールド４０６中のＭＡＣアドレスは、ＣＴＳフレームが受信されることになるデバイスに対応する。ＣＴＳフレーム４００がアドレス指定されず、ＣＴＳフレーム４００を復号することが可能なすべてのデバイスは、持続時間フィールド４０４中の値に従ってそれらのネットワーク割振りベクトル（ＮＡＶ）を更新することによって、持続時間フィールド４０４中で示される持続時間の間、サイレントなままになる。これは、他のデバイスが、持続時間フィールド４０４中で定義される間隔中に特定のチャネル上で送信しなくなることを保証する。ＣＴＳフレーム４００が「自己へのＣＴＳフレーム」である場合、受信機アドレス（ＲＡ）フィールド４０６は、ＣＴＳフレームを送信しているデバイスのＭＡＣアドレスを含み得、ＣＴＳフレームを送信したデバイスのためのチャネルの予約をもたらすが、すべての他のデバイスは、持続時間フィールド４０４中に示される単一の時間間隔の間、サイレントなままになる。
【００３８】
[0050]図５は、送信要求（ＲＴＳ）フレームの一例を示す。ＲＴＳフレーム５００は、５つの異なるフィールド、すなわち、フレーム制御（ＦＣ）フィールド５０２と、持続時間フィールド５０４と、（受信機アドレス（ａ１）とも呼ばれる）受信機アドレス（ＲＡ）フィールド５０６と、（受信機アドレス（ａ２）とも呼ばれる）送信機アドレス（ＴＡ）フィールド５０８と、フレーム検査シーケンス（ＦＣＳ）フィールド５１０とを含む。図５はさらに、フィールド５０２、５０４、５０６、５０８および５１０の各々のオクテットでのサイズをそれぞれ２、２、６、６および４と示している。ＲＡフィールド５０６とＴＡフィールド５０８の両方は、４８ビット（６オクテット）値である、デバイスのフルＭＡＣアドレスを含む。ＲＡフィールド５０５中のＭＡＣアドレスは、ＲＴＳフレーム５００を受信するデバイスに対応するが、ＴＡフィールド５０８は、ＲＴＳフレーム５００を送信するデバイスに対応する。データを送ることを望んでいるワイヤレスデバイスは、ＲＴＳフレーム５００を送ることによってプロセスを開始し得る。受信側ワイヤレスデバイスは、送信要求データを確認するために、図４のＣＴＳフレーム４００など、ＣＴＳフレームで返答し得る。ＲＴＳフレーム５００またはＣＴＳフレーム４００を受信する他のノードは、持続時間フィールド５０４中に示される時間間隔の間、データを送ることを控えることになる。
【００３９】
[0051]図６は、コンテンションフリー（contention free）終了（ＣＦ終了）フレーム６００を示す。ＣＦ終了フレーム６００は、コンテンションフリー期間の終了をシグナリングするデバイスによって送信され得る。したがって、ＣＦ終了フレーム６００は、ネットワーク割振りベクトル（ＮＡＶ）、たとえば、たとえば、図４のＣＴＳフレーム４００および／または図５のＲＴＳフレーム５００に応答して行われた予約を取り消すために使用され得る。ＣＦ終了フレーム６００を受信するどんな受信機も、以前に設定されたＮＡＶ予約を取り消し得る。ＣＦ終了フレーム６００は、４つの異なるフィールド、すなわち、フレーム制御（ＦＣ）フィールド６０２と、持続時間フィールド６０４と、（受信機アドレス（ａ１）とも呼ばれる）受信機アドレス（ＲＡ）フィールド６０６と、（送信機アドレス（ａ２）とも呼ばれる）送信機アドレス（ＴＡ）フィールド６０８と、フレーム検査シーケンス（ＦＣＳ）フィールド６１０とを含む。図６はさらに、フィールド６０２、６０４、６０６、６０８および６１０の各々のオクテットでのサイズをそれぞれ２、２、６、６および４と示している。持続時間フィールド６０４は、送信機会（ＴＸＯＰ）の完了を示すために、生成ＳＴＡによって０に設定され得る（すなわち、受信側ＳＴＡのＮＡＶを０に設定する）。ＲＡフィールド６０６およびＴＡフィールド６０８の各々は、４８ビット（６オクテット）値である、デバイスのフルＭＡＣアドレスを備える。したがって、たとえば、ＣＴＳフレーム４００またはＲＴＳフレーム５００のいずれかの持続時間の間以前にサイレントにされた、通信チャネル上でリッスンしている（listening）、ＣＦ終了フレーム６００を復号することができるすべてのデバイスは、再び通信チャネル上で通信することが可能になる。
【００４０】
[0052]図７は、図１のワイヤレス通信システム内で採用され得る例示的なトリガフレーム７００を示す。図示の実施形態では、トリガフレーム７００は、フレーム制御フィールド７０２と、持続時間フィールド７０４と、受信アドレスフィールド７０６と、フレーム検査シーケンス（ＦＣＳ）７０８と、拡張ペイロード７１０とを含む。図示のように、フレーム制御フィールド７０２は２バイト長であり、持続時間フィールド７０４は２バイト長であり、受信アドレス７０６は２バイト長であり、ＦＣＳ７０８は２バイト長であり、拡張ペイロード７１０は可変長である。様々な実施形態では、トリガフレーム７００は、図７に示された１つまたは複数のフィールドを省略し、および／または、本明細書の任意の他の図で説明するフィールドのいずれかをも含む、図７に示されていない１つまたは複数のフィールドを含むことができる。トリガフレーム７００中のフィールドは、異なる適切な長さであり得、異なる順序であり得ることを、当業者は諒解されよう。詳細には、拡張ペイロード７１０は省略され得る。そのような実装形態では、トリガフレーム７００は送信可フレームであり得る。
【００４１】
[0053]様々な実施形態では、拡張ペイロード７１０は、トリガフレームが受信された後のある時間においてＵＬ−ＦＤＭＡを介して送信するために適格であるＳＴＡの識別子、ＳＴＡ５０６Ａ〜５０６Ｅが送信すべきである電力の指示、ＳＴＡ５０６Ａ〜５０６Ｅが送信するために使用すべきチャネルおよび／または帯域幅の指示、特定のチャネル割当て、ならびに／あるいは同期指示を含むことができる。様々な実施形態では、トリガフレーム後の時間は、ショートフレーム間スペーシング（ＳＩＦＳ）、ポイント協調機能フレーム間スペーシング（ＰＩＦＳ）、またはＰＩＦＳよりも長い時間を含むことができる。
【００４２】
[0054]一実施形態では、トリガフレーム７００は、拡張ペイロード７１０を含む拡張ＣＴＳフレームをトリガフレーム７００が含むという指示を含むことができる。たとえば、トリガフレーム７００は、拡張ペイロード７１０の存在を指示するために、制御フレーム中で通常に予約された１つまたは複数のビットを設定することができる。
【００４３】
[0055]いくつかの実施形態では、トリガフレーム７００は、拡張ペイロード７１０を省略し、および／または、高スループット制御（ＨＴＣ）フィールドの存在を指示する制御ラッパーフレームを含むことができる。ＨＴＣフィールドは、ターゲットＳＴＡ情報の識別子を埋め込むために使用され得る４バイトを与え得る。トリガフレーム７００は、多重化可フレーム、拡張ＣＴＳフレーム、または送信可（ＣＴＸ）フレームと呼ばれることがある。
【００４４】
[0056]別の実装形態では、トリガフレーム７００は、８０２．１１において定義されているＣＦポールフレーム、または８０２．１１ａｈにおいて定義されている同期フレームと同じフォーマット（互換フォーマット）を有することができる。ポールフレームはマルチキャスト受信機アドレスを含むことができる。様々な実装形態では、トリガフレーム７００は、サードパーティＳＴＡのための譲歩時間、トリガフレーム後の１つのある時間（たとえば、ショートフレーム間スペース（ＳＩＦＳ）、ポイント協調機能（ＰＣＦ）フレーム間スペース（ＰＩＦＳ）、またはそれよりも長く）においてＵＬ−ＦＤＭＡを介して送信するために適格であるＳＴＡの識別子、ＳＴＡが送信すべき電力の指示、ＳＴＡが送信するために使用すべきチャネルおよび／または帯域幅の指示、１つまたは複数のＳＴＡのためのチャネル割当て、同期指示、１つまたは複数のＳＴＡのための肯定応答（ＡＣＫ）ポリシー指示、データ送信の厳密なまたは最大の持続時間など、の指示のうちの１つまたは複数を含むことができる。送信するために適格であるＳＴＡの識別子は、アドレス指定されたもの（たとえば、ＭＡＣアドレス指定されたもの、ＡＩＤ、部分またはハッシュＡＩＤなど）のリスト、ならびに／あるいは１つまたは複数のグループ識別子を含むことができる。グループ識別子は、たとえば、ＳＴＡのグループに以前に関連付けられＳＴＡに通信されたマルチキャストＭＡＣアドレス、または、以前に定義されＳＴＡに通信されたグループ識別子を含むことができる。送信電力インジケータは、たとえば、絶対電力インジケータ、または、ＳＴＡが指示することができる、ＳＴＡ公称送信電力からのバックオフの指示を含むことができる。様々な実装形態では、前述のペイロード要素のうちの１つまたは複数は、各ＳＴＡとＡＰとの間でネゴシエートされるかまたはあらかじめ決定され得る。ペイロード要素は、拡張ペイロード中に含まれるか、または他のフィールド中で配信され得る。
【００４５】
[0057]図８Ａは、本開示の態様が採用され得るタイミング図を示す。図８Ａに示されているように、チャネル１（すなわち、ＣＨ１）およびチャネル２（すなわち、ＣＨ２）という、２つのチャネルが存在する。本明細書で使用するＣＨ１は１次周波数チャネル（たとえば、通常のＩＥＥＥ８０２．１１プロトコル上で動作しているＳＴＡによって使用されるデフォルトチャネル）と呼ばれ、ＣＨ２は２次周波数チャネルと呼ばれる。いくつかの実装形態では、レガシーＳＴＡは、１次周波数チャネル上の送信と組み合わせて２次周波数チャネル上で送信することのみができる。対照的に、高効率ワイヤレス（ＨＥＷ）ＳＴＡは、１次周波数チャネルを含むことなしに２次周波数チャネル上でパケットを送信することができる。チャネルＣＨ１およびＣＨ２は、連続している（たとえば、各チャネルは、１０００ＭＨｚから１０８０ＭＨｚまでなど、連続する２０ＭＨｚ周波数範囲をカバーする）か、または不連続である（たとえば、チャネル間に周波数のギャップがある）ことがある。説明を簡単にするために以下の図では２つのチャネルが示されるが、本出願はそのように限定されず、任意の数のチャネルが存在し得る。
【００４６】
[0058]図８Ａに示されているように、ＡＰ（たとえば、図３のＡＰ３０４）は、２次周波数チャネルＣＨ２上でＳＴＡ１にダウンリンク（ＤＬ）送信８１０ｂ（ＦＤＭＡ  ＰＰＤＵ）を送信し、１次周波数チャネルＣＨ１上でＳＴＡ２にＤＬ送信８１０ａ（ＦＤＭＡ  ＰＰＤＵ）を送信し得る。典型的には、ＳＴＡ１およびＳＴＡ２はそれぞれ、ＡＰにＵＬ  ＡＣＫまたはブロックＡＣＫを返信することによってそれぞれのＤＬ送信に肯定応答し得る。ＳＴＡ１およびＳＴＡ２の各々は、ＵＬデータでさらに応答し得る。そのようなＵＬ送信はＵＬ  ＳＴＡｎ  ＢＡまたはデータ８２０ａおよび８２０ｂとして示されている。ＤＬ送信８１０ａおよび８１０ｂとＵＬ送信８２０ａおよび８２０ｂの両方を保護するために、ＡＰは、送信のために使用される帯域幅全体について、ならびにＤＬ送信８１０ａおよび８１０ｂとＵＬ送信８２０ａおよび８２０ｂの両方をカバーする単一の時間間隔８３０ａについてＮＡＶを設定することになるＣＴＳフレームを送り得る。ＡＰは、ＤＬ送信８１０ａおよび８１０ｂを送信する前に、１次周波数チャネルＣＨ１上で自己へのＣＴＳフレーム８０２ａを送り、２次周波数チャネルＣＨ２上で複製された自己へのＣＴＳフレーム８０２ｂを送ることによってこれを達成し得、各自己へのＣＴＳフレームは、自己へのＣＴＳフレームから少なくともＵＬ  ＳＴＡｎ  ＢＡまたはデータ８２０ａおよび８２０ｂの終了まで延在する値に設定された持続時間フィールドを有する。このようにして、ＡＰは、チャネルＣＨ１およびＣＨ２の各々上でＤＬ送信とＵＬ送信の両方を保護し得る。
【００４７】
[0059]図８Ａは、ＮＡＶが１次周波数チャネルＣＨ１と２次周波数チャネルＣＨ２との各々上で同じ単一の時間間隔８３０ａについて設定された実装形態を示す。しかしながら、いくつかの実装形態では、チャネルごとに異なる持続時間についてＮＡＶを設定することが望ましいことがある。そのような実装形態は図８Ｂによって示され得る。図８Ｂは、本開示の態様が採用され得るタイミング図を示す。図８Ｂでは、ＡＰが、１次周波数チャネルＣＨ１および２次周波数チャネルＣＨ２上で複製された自己へのＣＴＳフレーム８０２ａおよび８０２ｂをそれぞれ送り得、各々が、持続時間フィールド中に示された異なる持続時間を有することを除いて、すべての態様は上記の図８Ａに関して説明した通りである。たとえば、ＡＰは、自己へのＣＴＳフレーム８０２ａから少なくともＵＬ  ＳＴＡｎ  ＢＡまたはデータ送信８２０ａの終了まで延在する、第１の単一の時間間隔８３０ａを示す自己へのＣＴＳフレーム８０２ａを送信し得る。ＡＰは、同様に、自己へのＣＴＳフレーム８０２ｂから少なくともＵＬ  ＳＴＡｎ  ＢＡまたはデータ送信８２０ｂの終了まで延在する、第２の単一の時間間隔８３０ｂを示す自己へのＣＴＳフレーム８０２ｂを送信し得る。このようにして、ＡＰは、チャネルごとに決定された持続時間の間、チャネルＣＨ１およびＣＨ２の各々上でＤＬ送信とＵＬ送信の両方を保護し得る。
【００４８】
[0060]いくつかの実装形態では、１次周波数チャネル上でのみ行われている送信を保護することが望ましいことがある。そのような実装形態は図８Ｃによって示され得る。図８Ｃは、本開示の態様が採用され得るタイミング図を示す。図８Ｃでは、２次周波数チャネルＣＨ２上のＳＴＡ１が、ＳＴＡ１８１０ｂへのＤＬ  ＦＤＭＡ  ＰＰＤＵに応答して２次周波数チャネル上でどんなＵＬ送信も送り得ないことを除いて、すべての態様は上記の図８Ａに関して説明した通りである。代わりに、ＳＴＡ２が１次周波数チャネルＣＨ１上でＵＬ  ＳＴＡｎ  ＢＡまたはデータ８２０ａを送信した後に、ＡＰは、１次周波数チャネルＣＨ１上でＳＴＡ１にアドレス指定されたブロックＡＣＫ要求８２２ａを送信し得る。ＳＴＡ１は、応答して、１次周波数チャネルＣＨ１上でＡＰにブロックＡＣＫを返信し得る。図８Ｃに示された実装形態のために企図される２つのオプションがある。第１に、複製された自己へのＣＴＳフレーム８０２ａおよび８０２ｂは、それぞれ１次周波数チャネルＣＨ１上でおよび２次周波数チャネルＣＨ２上で送信され、各々は、それらの持続時間フィールド中で同じ単一の時間間隔８３０ａを示すことを有する。したがって、第１のオプションでは、自己へのＣＴＳフレーム８０２ｂは、ＳＴＡ１  ８１０ｂへのＤＬ  ＦＤＭＡ  ＰＰＤＵ後にさらなる送信がない、２次周波数チャネルＣＨ２上で送信がない期間を与え得る。第２のオプションでは、ＡＰは、１次周波数チャネルＣＨ１上で自己へのＣＴＳフレーム８０２ａのみを送信し、（点線ボックスによって示されるように）自己へのＣＴＳフレーム８０２ｂを送信しないことがある。干渉を潜在的に引き起こし得る他のＳＴＡからのどんな送信も１次周波数チャネルを含むはずであり、１次周波数チャネルは自己へのＣＴＳフレーム８０２ａによってすでに保護されているので、これは、２次周波数チャネルＣＨ２上での送信を保護するのに十分な解決策であり得る。
【００４９】
[0061]上記の実装形態は、さらに、マルチユーザＭＩＭＯ  ＵＬ送信を保護するために利用され得る。そのような実装形態は図８Ｄによって示され得る。図８Ｄは、本開示の態様が採用され得るタイミング図を示す。図８Ｄでは、ＵＬ  ＳＴＡｎ  ＢＡまたはデータ送信８２０ａと、ＵＬ  ＳＴＡｎ  ＢＡまたはデータ送信８２０ｂとが、マルチユーザＭＩＭＯを介したＵＬ  ＳＴＡｎ  ＢＡまたはデータ８２６ａによって示されるようにマルチユーザＭＩＭＯ構成で送信されることを除いて、すべての態様および機能は上記の図８Ａに関して説明した通りである。このようにして、ＡＰは、同じ単一の時間間隔８３０ａの間、チャネルＣＨ１およびＣＨ２の各々上でＤＬ送信とＵＬ送信の両方を保護し得る。
【００５０】
[0062]図８Ａ〜図８Ｄに関して前に説明した実装形態では、ＡＰは、ＤＬおよびＵＬ送信を保護するために自己へのＣＴＳフレームを送る。しかしながら、受信機側から、たとえば、ワイヤレスＳＴＡ自体から予約の確認が受信されないので、そのような実装形態は所望通りにロバストにならないことがある。したがって、図９Ａ〜図９Ｄによるいくつかの実装形態では、ワイヤレスＳＴＡ自体から媒体の確認および予約が受信され得る。図９Ａは、本開示の態様が採用され得る別のタイミング図を示す。図９Ａに示されているように、ＡＰは、代わりに同時に、１次周波数チャネルＣＨ１上でＳＴＡ２に送信要求（ＲＴＳ）フレーム９０４ａを送信し、２次周波数チャネルＣＨ２上でＳＴＡ１にＲＴＳフレーム９０４ｂを送信し得る。ＲＴＳフレーム９０４ａとＲＴＳフレーム９０４ｂとの各々は、ＤＬおよびＵＬ送信の少なくとも単一の時間間隔９３０ａの間、１次周波数チャネルＣＨ１と２次周波数チャネルＣＨ２との各々を予約するのに十分長くなる持続時間をそれらの持続時間フィールド中で示し得る。図９Ａは、１次周波数チャネルＣＨ１上のＤＬ送信をＳＴＡ２へのＤＬ  ＦＤＭＡ  ＰＰＤＵ９１０ａとして示し、２次周波数チャネルＣＨ２上のＤＬ送信をＳＴＡ２へのＤＬ  ＦＤＭＡ  ＰＰＤＵ９１０ｂとして示している。さらに、図９Ａは、ＵＬ送信を複数の応答オプションフレーム９２０として示しており、この複数の応答オプションフレーム９２０は、図８Ａ〜図８Ｄに関して前に説明したＵＬ送信オプションのいずれかを含むものと理解され得る。ＲＴＳフレーム９０４ａを受信したことに応答して、ＳＴＡ２は、それの持続時間フィールド中に、ＲＴＳフレームを受信しＣＴＳフレームを送信するのに必要とされる時間よりも少ないＲＴＳフレーム中に示された持続時間を含み得る、ＣＴＳフレーム９０２ａを送信し得る。したがって、ＣＴＳフレーム９０２ａは、ＲＴＳフレーム９０４ａ中で要求された１次周波数チャネルＣＨ１の予約の確認として働き得る。同様に、ＲＴＳフレーム９０４ｂを受信したことに応答して、ＳＴＡ１は、それの持続時間フィールド中に、ＲＴＳフレームを受信しＣＴＳフレームを送信するのに必要とされる時間よりも少ないＲＴＳフレーム中に示された持続時間を含み得る、ＣＴＳフレーム９０２ｂを送信し得る。したがって、ＣＴＳフレーム９０２ｂは、ＲＴＳフレーム９０４ｂ中で要求された２次周波数チャネルＣＨ２の予約の確認として働き得る。このようにして、ＤＬ送信９１０ａおよび９１０ｂならびに複数のＵＬ応答オプション９２０のいずれも、単一の時間間隔９３０ａの間保護され得る。
【００５１】
[0063]図９Ａに関して前に説明した実装形態は、ＳＴＡ１とＳＴＡ２との各々が応答して個々のＣＴＳフレームを送る状況に関係する。しかしながら、何らかの理由により、特定のチャネルが特定のＳＴＡにとって利用可能でない状況があり得る。そのような状況について、図９Ｂに関してより詳細に説明され得る。図９Ｂは、本開示の態様が採用され得る別のタイミング図を示す。図９Ａの場合のように、ＡＰは、同時に、１次周波数チャネルＣＨ１上でＳＴＡ２にＲＴＳフレーム９０４ａを送信し、２次周波数チャネルＣＨ２上でＳＴＡ１にＲＴＳフレーム９０４ｂを送信し得る。しかしながら、この実装形態では、ＳＴＡ２のみが、応答して１次周波数チャネルＣＨ１上でＣＴＳフレーム９０２ａを送信し得るが、ＳＴＡ１は、２次周波数チャネルＣＨ２上でＣＴＳフレームを送信し得ない。これは、ＲＴＳフレーム９０４ｂが送信されたとき、２次周波数チャネルＣＨ２がＳＴＡ１にとって利用可能でないことを示し得る。したがって、ＲＴＳフレームを送り、応答ＣＴＳフレームについてリッスンすることによって、ＡＰは、特定のＳＴＡがＦＤＭＡを利用して特定のチャネルを介して通信するように構成されるかまたはそれが可能であるかどうかを決定するために、ネットワークの帯域幅プロービングを行い得る。ＳＴＡ２が１次周波数チャネルＣＨ１上でＣＴＳフレーム９０２ａを用いてＲＴＳフレーム９０４ａに応答するので、ＳＴＡ２へのＤＬ  ＦＤＭＡ  ＰＰＤＵ９１０ａの後続の送信と、複数の応答オプション９２０を含むＵＬ送信とは、単一の時間間隔９３０ａの間保護され得る。対照的に、ＡＰは２次周波数チャネルＣＨ２上でＳＴＡ１から応答ＣＴＳフレームを受信しなかったので、ＡＰは、ＳＴＡ１が２次周波数チャネルＣＨ２上の通信との適合性が現在ないと決定し得る。それに応じて、ＡＰは、ＲＴＳフレーム９０４ｂの送信によって最初に設定されたＮＡＶのクリアランスを保証するために、場合によってはＣＦ終了フレーム９０６ｂを送信し得る。しかしながら、いくつかの実装形態では、いくつかのワイヤレス規格は、後続のデータが受信されない場合、ワイヤレスデバイスが、ＲＴＳフレームによって設定されたＮＡＶを無視し得ると規定していることにより、ＡＰはＣＦ終了フレーム９０６ｂを送る必要がない。
【００５２】
[0064]図９Ｂは、ＣＴＳフレームが２次周波数チャネルＣＨ２上ではなく１次周波数チャネルＣＨ１上で受信された実装形態を開示した。対照的に、図９Ｃは、ＣＴＳフレームが１次周波数チャネルＣＨ１上ではなく２次周波数チャネルＣＨ２上で受信される実装形態を開示する。図９Ｃは、本開示の態様が採用され得る別のタイミング図を示す。図９Ｃでは、ＡＰは、同時に、１次周波数チャネルＣＨ１上でＳＴＡ２にＲＴＳフレーム９０４ａを送信し、２次周波数チャネルＣＨ２上でＳＴＡ１にＲＴＳフレーム９０４ｂを送信し得る。しかしながら、この実装形態では、ＳＴＡ１のみが、応答して２次周波数チャネルＣＨ２上でＣＴＳフレーム９０２ｂを送信し得るが、ＳＴＡ２は、１次周波数チャネルＣＨ１上でＣＴＳフレームを送信し得ない。そのような場合、１次周波数チャネルＣＨ１上の予約は確認されなかったので、ＡＰは、どんなＤＬデータも送信し得ず、２次周波数チャネルＣＨ２を介してＣＦ終了フレーム９０６ｂを送ることによって媒体全体についてＮＡＶをクリアし得る。場合によっては、ＡＰはまた、１次周波数チャネルについてＮＡＶのクリアランスを保証するために１次周波数チャネルＣＨ１を介してＣＦ終了フレーム９０６ａを送り得る。しかしながら、１次周波数チャネルＣＨ１上でＲＴＳフレーム９０４ａによって前の予約を確認するＣＴＳフレームが受信されなかったので、これは不要であり得る。
【００５３】
[0065]図９Ｄは、本開示の態様が採用され得る別のタイミング図を示す。図９Ｄは、ＣＴＳフレームが１次周波数チャネルＣＨ１上ではなく２次周波数チャネルＣＨ２上で受信される別の実装形態を開示する。しかしながら、ＡＰが送信するのを控える図９Ｃによる開示とは対照的に、ＡＰは、代わりに、２次周波数チャネルＣＨ２上での送信を進め得る。たとえば、ＡＰは、同時に、１次周波数チャネルＣＨ１上でＳＴＡ２にＲＴＳフレーム９０４ａを送信し、２次周波数チャネルＣＨ２上でＳＴＡ１にＲＴＳフレーム９０４ｂを送信し得る。ＳＴＡ１は、応答して２次周波数チャネルＣＨ２上でＣＴＳフレーム９０２ｂを送信し、ＮＡＶは単一の時間間隔９３０ａについて設定される。ＡＰは、次いで、ＳＴＡ１にＤＬ  ＦＤＭＡ  ＰＰＤＵ９１０ａを送信し得、その後、ＳＴＡ１は、ＵＬ送信の複数の応答オプション９２０で応答し得る。しかしながら、１次周波数チャネルＣＨ１のみを監視しているＳＴＡは１次周波数チャネルＣＨ１上で送信を検知しないはずであるので、そのようなＳＴＡは、潜在的に１次周波数チャネルＣＨ１上で送信し始め、ネットワーク中で不要な干渉または衝突を引き起こし得る。これを緩和するために、ＡＰは、２次周波数チャネルＣＨ２上でＣＴＳフレーム９０２ａによって設定された単一の時間間隔９３０ａの残りの間、１次周波数チャネルＣＨ１を予約するために、１次周波数チャネルＣＨ１上で第２の単一の時間間隔９３０ｂを示す自己へのＣＴＳフレーム９１２ａを場合によっては送信し得る。このようにして、ＡＰは、他のＳＴＡが単一の時間間隔９３０ｂの間に１次周波数チャネル上で送信し始めないことを保証し得る。
【００５４】
[0066]図１０Ａは、本開示の態様が採用され得る別のタイミング図を示す。図１０Ａでは、ＲＴＳ／ＣＴＳメッセージ交換が、すべてのチャネルの帯域幅全体のためのプロキシとして１次周波数チャネル上でのみ行われ得る。たとえば、ＡＰは、１次周波数チャネルＣＨ１上でＳＴＡ２にＲＴＳフレーム１００４ａを送信し得る。ＳＴＡ２は、応答してＣＴＳフレーム１００２ａを送信し得る。これは、１次周波数チャネル上ですべての他のＳＴＡをサイレントにし、単一の時間間隔１０３０ａの間１次周波数チャネルを予約することになる。ＡＰは、次いで、ＳＴＡ２にＤＬ  ＦＤＭＡ  ＰＰＤＵ１０１０ａを送信し得る。同様に、１次周波数チャネルＣＨ１の予約は、２次周波数チャネルＣＨ２を予約するためのプロキシとして働き得るので、ＡＰはまた、２次周波数チャネルＣＨ２上でＳＴＡ１にＤＬ  ＦＤＭＡ  ＰＰＤＵ１０１０ｂを送信し得る。複数の応答オプションフレーム１０２０は、図８Ａ〜図８Ｄのいずれかに関して前に説明したように、ＳＴＡ１またはＳＴＡ２のいずれかからＡＰに送信され得るＵＬデータに対応し得る。ＳＴＡ２からＣＴＳフレーム１００２ａが受信されない場合、ＡＰは、図１０Ｂに関して以下でさらに詳細に説明するように、チャネルのいずれの上でもＤＬデータを送り得ず、サイレントになり得る。
【００５５】
[0067]図１０Ｂは、本開示の態様が採用され得る別のタイミング図を示す。ＡＰは、１次周波数チャネルＣＨ１上でＳＴＡ２にＲＴＳフレーム１００４ａを送信し得る。ＣＴＳフレーム１００２ａが受信されない場合、ＡＰは、１次周波数チャネルＣＨ１をクリアするために、ＲＴＳフレーム１００４ａによって前に設定されたＮＡＶをクリアするためのＣＦ終了フレーム１００６ｂを送信し得る。この場合、ＡＰはＤＬデータを送信しなくなる。
【００５６】
[0068]図１０Ｃは、本開示の態様が採用され得る別のタイミング図を示す。図１０Ｃでは、ＲＴＳフレーム１００４ａは１次周波数チャネルＣＨ１上でのみ送信されるが、ＳＴＡ１とＳＴＡ２の両方にアドレス指定される。ＳＴＡ１およびＳＴＡ２は媒体の１次周波数チャネルならびにすべての２次周波数チャネル上でリッスンするように構成されるので、これは可能であり得る。一代替では、ＲＴＳフレーム１００４ａは、１次周波数チャネルと２次周波数チャネルとの各々にわたって、互いの正確なコピーとして複製され得る。ＳＴＡ２は、応答して１次周波数チャネルＣＨ１上でＣＴＳフレーム１００２ａを送信し得るが、ＳＴＡ２は、応答して２次周波数チャネルＣＨ２上でＣＴＳフレーム１００２ｂを送信し得る。これは、１次周波数チャネルＣＨ１と２次周波数チャネルＣＨ２の両方の上ですべての他のＳＴＡをサイレントにし、単一の時間間隔１０３０ａの間チャネルを予約することになる。ＡＰは、次いで、１次周波数チャネルＣＨ１上でＳＴＡ２にＤＬ  ＦＤＭＡ  ＰＰＤＵ１０１０ａを送信し、２次周波数チャネルＣＨ２上でＳＴＡ１にＤＬ  ＦＤＭＡ  ＰＰＤＵ１０１０ｂを送り得る。複数の応答オプションフレーム１０２０は、図８Ａ〜図８Ｄのいずれかに関して前に説明したように、ＳＴＡ１およびＳＴＡ２からＡＰに送信され得るＵＬデータに対応し得る。このようにして、ＤＬ信ならびにＵＬ送信は単一の時間間隔１０３０ａの間保護され得る。ＳＴＡ２からＣＴＳフレーム１００２ａが受信されない場合、ＡＰは、図１０Ｄに関して以下でさらに詳細に説明するように、チャネルのいずれの上でもＤＬデータを送り得ず、サイレントになり得る。
【００５７】
[0069]図１０Ｄは、本開示の態様が採用され得る別のタイミング図を示す。ＡＰは、１次周波数チャネルＣＨ１上でＳＴＡ１とＳＴＡ２の両方にＲＴＳフレーム１００４ａを送信し得る。１次周波数チャネルＣＨ１上でＣＴＳフレーム１００２ａが受信されない場合、ＡＰは、１次周波数チャネルＣＨ１をクリアするために、ＲＴＳフレーム１００４ａによって前に設定されたＮＡＶをクリアするためのＣＦ終了フレーム１００６ｂを１次周波数チャネルＣＨ１上で送信し得る。この場合、ＡＰはＤＬデータを送信しなくなる。
【００５８】
[0070]図１１Ａは、本開示の態様が採用され得る別のタイミング図を示す。図１１Ａでは、ＡＰは、同期情報と、チャネル割振り情報と、媒体の予約と、関連するＳＴＡがＵＬデータを送信するためのトリガとを与え得るトリガフレーム（たとえば、図７に関して前に説明したトリガフレーム７００）を送信し得る。たとえば、ＡＰは、１次周波数チャネルＣＨ１上でＳＴＡ２にＣＴＸフレーム１１０８ａを送信し、２次周波数チャネルＣＨ２上でＳＴＡ１にＣＴＸフレーム１１０８ｂを送信し得る。一実装形態では、ＣＴＸフレーム１１０８ａはＣＴＸフレーム１１０８ｂと同等であり得、各々はＳＴＡ１とＳＴＡ２の両方についての割振り情報を含み得る。ＣＴＸフレーム１１０８ａおよび１１０８ｂは、ＳＴＡとＡＰとの間の後続のＵＬ送信ならびにＤＬ送信を保護するために、ＣＴＸフレーム１１０８ａも単一の時間間隔１１３０ａの間１次周波数チャネルＣＨ１を予約するようにＮＡＶを設定し、ＣＴＸフレーム１１０８ｂも単一の時間間隔１１３０ａの間２次周波数チャネルＣＨ２を予約するようにＮＡＶを設定するように、修正されたＣＴＳフレームとして働き得る。ＣＴＸフレーム１１０８ａを受信した後に、ＳＴＡ２は、１次周波数チャネルＣＨ１を介してＳＴＡ２からＵＬ  ＦＤＭＡ  ＰＰＤＵ１１４０ａを送信し得る。同様に、ＳＴＡ１は、２次周波数チャネルＣＨ２を介してＳＴＡ１からＵＬ  ＦＤＭＡ  ＰＰＤＵ１１４０ｂを送信し得る。ＡＰは、複数の応答オプション１１２０によって示されるように、ＵＬ送信の後に、ＤＬ肯定応答および／またはデータを含み得るＤＬ送信を続け得る。このようにして、ＡＰはＵＬ  ＦＤＭＡ送信ならびにＤＬ  ＦＤＭＡ送信を保護し得る。
【００５９】
[0071]しかしながら、媒体の予約は、ＡＰによって送られたＣＴＸフレームの結果として行われるので、受信側から（たとえば、ＳＴＡから）そのような予約の確認はなく、これは所望通りにロバストな解決策にならないことがある。したがって、図１１Ｂは、本開示の態様が採用され得る別のタイミング図を示す。たとえば、図１１Ｂでは、ＡＰは、１次周波数チャネルＣＨ１上でＳＴＡ２にＲＴＳフレーム１１０４ａを送信し、２次周波数チャネルＣＨ２上でＳＴＡ１にＲＴＳフレーム１１０４ｂを送信し得る。ＲＴＳフレーム１１０４ａおよび１１０４ｂは、後続のＦＤＭＡ通信のためにそれぞれのチャネルを予約するようにＮＡＶを設定するための持続時間を示し得る。ＳＴＡ２は、応答して１次周波数チャネルＣＨ１上でＡＰにＣＴＳフレーム１１０２ａを送信し得るが、ＳＴＡ１は、応答して２次周波数チャネルＣＨ２上でＡＰにＣＴＳフレーム１１０２ｂを送信し得る。ＣＴＳフレーム１１０２ａおよび１１０２ｂは、媒体のそれぞれの予約についての受信側（たとえば、ＳＴＡ側）からの確認を与え得る。このポイントから先は、図１１Ｂによって示される実装形態は、図１１Ａに関して前に説明したように進み得る。ＳＴＡ１とＳＴＡ２とのうちの１つがＣＴＳフレームで応答しない実装形態について、図１１Ｃおよび図１１Ｄに関して以下でさらに詳細に説明する。
【００６０】
[0072]図１１Ｃは、本開示の態様が採用され得る別のタイミング図を示す。図１１Ｃは、１次周波数チャネル上のＲＴＳフレームに応答してＡＰによってＣＴＳフレームが受信されない実装形態について説明する。たとえば、ＡＰは、図１１Ｂの場合のようにＲＴＳフレーム１１０４ａおよび１１０４ｂを送信し得る。ＳＴＡ１は、応答して２次周波数チャネルＣＨ２上でＣＴＳフレーム１１０２ｂを送信し得る。しかしながら、ＳＴＡ２は１次周波数チャネルＣＨ１上でＣＴＳフレームを送らない。そのような場合、ＡＰは、図１１Ｂにおいて２次周波数チャネルＣＨ２に関して説明したように、後続のＵＬおよびＤＬ送信のために単一の時間間隔１１３０ａの間２次周波数チャネルＣＨ２を予約する、ＣＴＸフレーム１１０８ｂを２次周波数チャネル上でＳＴＡ１に送り得る。しかしながら、ＡＰは１次周波数チャネルＣＨ１上でＣＴＳフレームを受信しなかったので、ＡＰは、単一の時間間隔１１３０ａの間の１次周波数チャネルＣＨ１の予約を保証するために、代わりに１次周波数チャネルＣＨ１上で自己へのＣＴＳフレーム１１１２ａを送り得る。これは、１次周波数チャネルＣＨ１のみを監視中であり得る他のワイヤレスＳＴＡが、単一の時間間隔１１３０ａの間１次周波数チャネル上で送信しなくなることを保証する。
【００６１】
[0073]図１１Ｄは、本開示の態様が採用され得る別のタイミング図を示す。図１１Ｄは、２次周波数チャネル上のＲＴＳフレームに応答してＡＰによってＣＴＳフレームが受信されない実装形態について説明する。たとえば、ＡＰは、図１１Ｂの場合のようにＲＴＳフレーム１１０４ａおよび１１０４ｂを送信し得る。ＳＴＡ２は、応答して１次周波数チャネルＣＨ１上でＣＴＳフレーム１１０２ａを送信し得る。しかしながら、ＳＴＡ１は２次周波数チャネルＣＨ２上でＣＴＳフレームを送らない。そのような場合、ＡＰは、図１１Ｂにおいて１次周波数チャネルＣＨ１に関して説明したように、後続のＵＬおよびＤＬ送信のために単一の時間間隔１１３０ａの間１次周波数チャネルＣＨ１を予約する、ＣＴＸフレーム１１０８ａを１次周波数チャネル上でＳＴＡ２に送り得る。しかしながら、ＡＰは２次周波数チャネルＣＨ２上でＣＴＳフレームを受信しなかったので、ＡＰは、代わりに、２次周波数チャネルＣＨ２をクリアするために２次周波数チャネルＣＨ２上でＣＦ終了フレーム１１０６ｂを送り得る。
【００６２】
[0074]図１２Ａは、本開示の態様が採用され得る別のタイミング図を示す。図１２Ａでは、ＡＰはトリガフレーム（たとえば、ＣＴＸ）を送信し得、それに続いて、ＳＴＡは、ＣＴＸフレームの媒体予約（medium reservations）を確認するＣＴＳフレームでＵＬ  ＦＤＭＡ送信をプリペンドする。たとえば、ＡＰは、１次周波数チャネルＣＨ１上でＳＴＡ２にＣＴＸフレーム１２０８ａを送信し、２次周波数チャネルＣＨ２上でＳＴＡ１にＣＴＸフレーム１２０８ｂを送信し得る。ＣＴＸフレーム１２０８ａおよび１２０８ｂは、ＵＬ  ＦＤＭＡデータを送信する前にＣＴＸフレームの予約を確認するＣＴＳフレームを受信側ＳＴＡが送信するための指示をさらに含み得る。一実装形態では、ＣＴＸフレーム１２０８ａはＣＴＸフレーム１２０８ｂと同等であり得、各々はＳＴＡ１とＳＴＡ２の両方についての割振り情報を含み得る。ＣＴＸフレーム１２０８ａおよび１２０８ｂは、ＳＴＡとＡＰとの間の後続のＵＬ送信ならびにＤＬ送信を保護するために、ＣＴＸフレーム１２０８ａも単一の時間間隔１２３０ａの間１次周波数チャネルＣＨ１を予約するようにＮＡＶを設定し、ＣＴＸフレーム１２０８ｂも単一の時間間隔１２３０ａの間２次周波数チャネルＣＨ２を予約するようにＮＡＶを設定するように、修正されたＣＴＳフレームとして働き得る。ＣＴＸフレーム１２０８ａを受信した後に、ＳＴＡ２は、ＣＴＸフレーム１２０８ａによって１次周波数チャネルＣＨ１の予約を確認するＣＴＳフレーム１２０２ａを送信し、それに続いて、ＳＴＡ２からＵＬ  ＦＤＭＡ  ＰＰＤＵ１２４０ａを送信し得る。同様に、ＳＴＡ１は、ＣＴＸフレーム１２０８ｂによって１次周波数チャネルＣＨ２の予約を確認するＣＴＳフレーム１２０２ｂを送信し、それに続いて、２次周波数チャネルＣＨ２を介してＳＴＡ１からＵＬ  ＦＤＭＡ  ＰＰＤＵ１２４０ｂを送信し得る。ＡＰは、複数の応答オプション１２２０によって示されるように、ＵＬ送信の後に、ＤＬ肯定応答および／またはデータを含み得るＤＬ送信を続け得る。このようにして、ＳＴＡ１およびＳＴＡ２は、ＵＬ  ＦＤＭＡ送信ならびにＤＬ  ＦＤＭＡ送信を保護するためにＡＰによって行われた媒体の予約を確認し得る。
【００６３】
[0075]図１２Ｂは、本開示の態様が採用され得る別のタイミング図を示す。図１２Ｂは、１次周波数チャネル上のＣＴＸフレームに応答してＡＰによってＣＴＳフレームが受信されない実装形態について説明する。たとえば、ＡＰは、図１２Ａの場合のようにＣＴＸフレーム１２０４ａおよび１２０４ｂを送信し得る。ＳＴＡ１は、応答して２次周波数チャネルＣＨ２上でＣＴＳフレーム１２０２ｂを送信し得る。しかしながら、ＳＴＡ２は１次周波数チャネルＣＨ１上でＣＴＳフレームを送らない。そのような場合、ＣＴＸフレームは、図１２Ａにおいて２次周波数チャネルＣＨ２に関して説明したように、２次周波数チャネルＣＨ２上で後続のＵＬおよびＤＬ送信のために単一の時間間隔１２３０ａの間、媒体を予約する。しかしながら、ＳＴＡ２は１次周波数チャネルＣＨ１上でＣＴＳフレームを送るために利用不可能であったので、１次周波数チャネルＣＨ１は、それがＣＴＸフレーム１２０８ａによって予約された単一の時間間隔１２３０ａの間使用されないままになる。
【００６４】
[0076]図１２Ｃは、本開示の態様が採用され得る別のタイミング図を示す。図１２Ｃは、ＡＰではなくＳＴＡがフレーム交換を開始する実装形態について説明する。たとえば、ＳＴＡ１は、１次周波数チャネルＣＨ１上でＡＰにＲＴＳフレーム１２０４ａを送信し得る。ＡＰは、応答して、１次周波数チャネルＣＨ１を介してＳＴＡ１にＣＴＸフレーム１２０８ａを送信し得る。ＡＰは、場合によっては、２次周波数チャネルＣＨ２を介してＳＴＡ２にＣＴＸフレーム１２０８ｂを送信し得る。ＣＴＸフレーム１２０８ａおよび１２０８ｂは、ＳＴＡとＡＰとの間の後続のＵＬ送信ならびにＤＬ送信を保護するために、ＣＴＸフレーム１２０８ａも単一の時間間隔１２３０ａの間１次周波数チャネルＣＨ１を予約するようにＮＡＶを設定し、ＣＴＸフレーム１２０８ｂも単一の時間間隔１２３０ａの間２次周波数チャネルＣＨ２を予約するようにＮＡＶを設定するように、修正されたＣＴＳフレームとして働き得る。ＣＴＸフレーム１２０８ａを受信した後に、ＳＴＡ２は、ＳＴＡ２からＵＬ  ＦＤＭＡ  ＰＰＤＵ１２４０ａを送信し得る。同様に、ＳＴＡ１は、２次周波数チャネルＣＨ２を介してＳＴＡ１からＵＬ  ＦＤＭＡ  ＰＰＤＵ１２４０ｂを送信し得る。ＡＰは、複数の応答オプション１２２０によって示されるように、ＵＬ送信の後に、ＤＬ肯定応答および／またはデータを含み得るＤＬ送信を続け得る。
【００６５】
[0077]図１２Ｄは、本開示の態様が採用され得る別のタイミング図を示す。図１２Ｄは、ＡＰではなくＳＴＡがフレーム交換を開始し、媒体予約のＳＴＡ側確認をさらに含む実装形態について説明する。たとえば、ちょうど図１２Ｃの場合のように、ＳＴＡ１はＲＴＳフレーム１２０４ａを送信し得、ＡＰは応答して、１次周波数チャネルＣＨ１を介してＳＴＡ１にＣＴＸフレーム１２０８ａを送信し、場合によっては、２次周波数チャネルＣＨ２を介してＳＴＡ２にＣＴＸフレーム１２０８ｂを送信し得る。ＣＴＸフレーム１２０８ａを受信した後に、ＳＴＡ２は、ＣＴＸフレーム１２０８ａによって１次周波数チャネルＣＨ１の予約を確認するＣＴＳフレーム１２０２ａを送信し、それに続いて、ＳＴＡ２からＵＬ  ＦＤＭＡ  ＰＰＤＵ１２４０ａを送信し得る。同様に、ＳＴＡ１は、ＣＴＸフレーム１２０８ｂによって１次周波数チャネルＣＨ２の予約を確認するＣＴＳフレーム１２０２ｂを送信し、それに続いて、２次周波数チャネルＣＨ２を介してＳＴＡ１からＵＬ  ＦＤＭＡ  ＰＰＤＵ１２４０ｂを送信し得る。ＡＰは、複数の応答オプション１２２０によって示されるように、ＵＬ送信の後に、ＤＬ肯定応答および／またはデータを含み得るＤＬ送信を続け得る。このようにして、ＵＬ送信はＳＴＡ１によって開始され得、ＳＴＡ１およびＳＴＡ２は、ＵＬ  ＦＤＭＡ送信ならびにＤＬ  ＦＤＭＡ送信を保護するためにＡＰによって行われた媒体の予約を確認し得る。
【００６６】
[0078]図１３は、図１のワイヤレス通信システム１００内で採用され得るワイヤレス通信の例示的な方法のフローチャート１３００を示す。本方法は、図１に関して前に説明したＡＰ１０４に対応し得る、図２に示されているワイヤレスデバイス２０２など、本明細書で説明するデバイスによって全体的にまたは部分的に実装され得る。特に、フローチャート１３００は、図８Ａ〜図１２Ｄに関して前に説明した１つまたは複数の実装形態に対応し得る。本明細書では、図示された方法について、特定の順序に関して説明したが、様々な実装形態では、本明細書のブロックは異なる順序で実施されるか、または省略され得、さらなるブロックが追加され得る。
【００６７】
[0079]ブロック１３０２は、１次周波数チャネルを利用してアクセスポイントによって第１の予約フレームを送信することを含み、第１の予約フレームは、複数のワイヤレスデバイスとの１次周波数チャネルを介したアップリンクおよびダウンリンク通信のために予約された第１の単一の時間間隔を示す。たとえば、予約フレームは、図８Ａ〜図８Ｄの各々における自己へのＣＴＳフレーム８０２ａとして、図９Ａ〜図９Ｄの各々におけるＲＴＳフレーム９０４ａとして、図１０Ａ〜図１０Ｄの各々におけるＲＴＳフレーム１００４ａとして、図１１Ａ〜図１１ＤのいずれかにおけるＣＴＸフレーム１１０８ａとして、図１１Ｂ〜図１１ＤのいずれかにおけるＲＴＳ１１０４ａとして、または図１２Ａ〜図１２ＤのいずれかにおけるＣＴＸフレーム１２０８ａとして示されている。前に説明したように、この第１の予約フレームは、１次周波数チャネル（ＣＨ１）を介したアップリンクおよびダウンリンク通信のために予約された第１の単一の時間間隔（８３０ａ、９３０ａ、１０３０ａ、１１３０ａ、１２３０ａ）を示す。「アップリンクおよびダウンリンク通信のために予約された」という用語は、必ずしもアップリンクデータまたはダウンリンクデータのいずれかに限定されるとは限らないが、潜在的にアップリンクデータとダウンリンクデータの両方を通信するのに十分な持続時間であり、そのために特に予約された、データの通信のために予約されたチャネルの単一の予約を意味するものと考えられたい。本方法はブロック１３０４を続け得る。
【００６８】
[0080]ブロック１３０４は、２次周波数チャネルを利用してアクセスポイントによって第２の予約フレームを送信することを含み、第２の予約フレームは、複数のワイヤレスデバイスとの２次周波数チャネルを介したアップリンクおよびダウンリンク通信のために予約された第２の単一の時間間隔を示す。たとえば、この第２の予約フレームは、図８Ａ〜図８Ｄの各々における自己へのＣＴＳフレーム８０２ｂに、図９Ａ〜図９Ｄの各々におけるＲＴＳフレーム９０４ｂに、図１１Ａ〜図１１ＤのいずれかにおけるＣＴＸフレーム１１０８ｂに、図１１Ｂ〜図１１ＤのいずれかにおけるＲＴＳ１１０４ｂに、または図１２Ａ〜図１２ＤのいずれかにおけるＣＴＸフレーム１２０８ａとして対応し得る。第２の単一の時間間隔はＣＨ２中の予約間隔に対応する。本方法はブロック１３０６を続け得る。
【００６９】
[0081]ブロック１３０６は、第１の単一の時間間隔中に１次周波数チャネルを介しておよび第２の単一の時間間隔中に第２の周波数チャネルを介してアクセスポイントと複数のワイヤレスデバイスとの間で通信することを含む。たとえば、図８Ａ〜図１０Ｄは、ＡＰから１つまたは複数のＳＴＡに送信されるダウンリンクデータと、１つまたは複数のＳＴＡからＡＰに送信されるアップリンクデータとの組合せを示し、同じチャネル上で同じ予約間隔内に送信される。同じことは２次周波数チャネル（ＣＨ２）上の通信に当てはまる。図１１Ａ〜図１２Ｄは送信されるアップリンクデータのみを示しているが、そのような実装形態は例示にすぎず、図示された予約期間中にダウンリンクデータも送信され得る。
【００７０】
[0082]いくつかの実装形態では、本方法は、第１の単一の時間間隔の間の１次周波数チャネルの予約を確認する１次周波数チャネル（ＣＨ１）を介した確認フレーム（ＣＴＳフレーム９０２ａ、１００２ａ、１１０２ａ、１２０２ａ）と、第２の単一の時間間隔の間の２次周波数チャネルの予約を確認する２次周波数チャネル（ＣＨ２）を介した確認フレーム（ＣＴＳフレーム９０２ｂ、１００２ｂ、１１０２ｂ、１２０２ｂ）とのうちの少なくとも１つをアクセスポイントによって受信することをさらに備え得る。
【００７１】
[0083]また他の実装形態では、本方法は、１次周波数チャネル（ＣＨ１）を介して確認フレーム（ＣＴＳフレーム９０２ａ、１００２ａ、１１０２ａ、１２０２ａ）を受信しないことに基づいて、１次周波数チャネル（ＣＨ１）上で第１の単一の時間間隔をクリアするための１次周波数チャネルを介したコンテンションフリー終了フレーム（ＣＦ終了フレーム９０６ａ）と、２次周波数チャネル（ＣＨ２）上で第２の単一の時間間隔をクリアするための２次周波数チャネル（ＣＨ２）を介したコンテンションフリー終了フレーム（ＣＦ終了フレーム９０６ｂ、１００６ｂ、１１０６ｂ）とのうちの少なくとも１つをアクセスポイントによって送信することをさらに備え得る。
【００７２】
[0084]また他の実装形態では、本方法は、１次周波数チャネル（ＣＨ１）を介してではなく２次周波数チャネル（ＣＨ２）を介して確認フレーム（ＣＴＳフレーム９０２ｂ、１００２ｂ、１１０２ｂ、１２０２ｂ）を受信したことに基づいて第２の単一の時間間隔の間の１次周波数チャネルの予約を維持するために１次周波数チャネル（ＣＨ１）を介して自己へのＣＴＳフレーム（９１２ａ、１１１２ａ）をアクセスポイントによって送信することをさらに備え得る。
【００７３】
[0085]また他の実装形態では、アクセスポイントがＲＴＳフレーム（ＲＴＳフレーム１２０４ａ）を受信したことに基づいて第１の予約フレーム（１２０８ａ）が送信される。
【００７４】
[0086]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものである。
【００７５】
[0087]上記で説明した方法の様々な動作は、様々なハードウェアおよび／またはソフトウェア構成要素、回路、ならびに／あるいはモジュールなど、それらの動作を実施することが可能な任意の好適な手段によって実施され得る。概して、図に示されているどんな動作も、その動作を実施することが可能な対応する機能的手段によって実施され得る。たとえば、いくつかの実装形態では、図１および図２に関して前に説明した多重化制御モジュール２２４の少なくとも一部分、および／またはトランシーバ２１４の少なくとも一部分は、「１次周波数チャネルを利用して第１の予約フレームを送信するための手段」、「２次周波数チャネルを利用して第２の予約フレームを送信するための手段」、「第１の単一の時間間隔中に１次周波数チャネルを介しておよび第２の単一の時間間隔中に２次周波数チャネルを介してアクセスポイントと複数のワイヤレスデバイスとの間で通信するための手段」、「１次周波数チャネルを介して確認フレームを受信するための手段」、「１次周波数チャネルを介して確認フレームを受信するための手段」、「１次周波数チャネルを介してコンテンションフリー終了フレームを送信するための手段」、「２次周波数チャネルを介してコンテンションフリー終了フレームを送信するための手段」、「１次周波数チャネルを介して自己への送信可フレームを送信するための手段」、および／または「送信要求フレームを受信したことに基づいて第１の予約フレームを送信するための手段」としても知られ得る。
【００７６】
[0088]本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）信号または他のプログラマブル論理デバイス（ＰＬＤ）、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７７】
[0089]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。たとえば、非一時的コンピュータ可読媒体は、実行されたとき、本出願で説明したいずれかのステップ、アクション、または方法を装置に実施させ得るコードを備え得る。そのような媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上述の組合せもコンピュータ可読媒体の範囲内に含まれるべきである。
【００７８】
[0090]本明細書に開示された方法は、説明した方法を達成するための１つまたは複数のステップまたはアクションを備える。本方法のステップおよび／またはアクションは、特許請求の範囲を逸脱することなく互いに交換され得る。言い換えれば、ステップまたはアクションの特定の順序が指定されていない限り、特定のステップおよび／またはアクションの順序および／または使用は、特許請求の範囲から逸脱することなく変更され得る。
【００７９】
[0091]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は伝送媒体の定義に含まれる。
【００８０】
[0092]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【００８１】
[0093]上記は本開示の態様を対象とするが、本開示の他の態様およびさらなる態様は、それの基本的範囲から逸脱することなく考案され得、それの範囲は以下の特許請求の範囲によって決定される。
【図１】
2017531933.tif 000003
【図２】
2017531933.tif 000004
【図３】
2017531933.tif 000005
【図４】
2017531933.tif 000006
【図５】
2017531933.tif 000007
【図６】
2017531933.tif 000008
【図７】
2017531933.tif 000009
【図８Ａ】
2017531933.tif 000010
【図８Ｂ】
2017531933.tif 000011
【図８Ｃ】
2017531933.tif 000012
【図８Ｄ】
2017531933.tif 000013
【図９Ａ】
2017531933.tif 000014
【図９Ｂ】
2017531933.tif 000015
【図９Ｃ】
2017531933.tif 000016
【図９Ｄ】
2017531933.tif 000017
【図１０Ａ】
2017531933.tif 000018
【図１０Ｂ】
2017531933.tif 000019
【図１０Ｃ】
2017531933.tif 000020
【図１０Ｄ】
2017531933.tif 000021
【図１１Ａ】
2017531933.tif 000022
【図１１Ｂ】
2017531933.tif 000023
【図１１Ｃ】
2017531933.tif 000024
【図１１Ｄ】
2017531933.tif 000025
【図１２Ａ】
2017531933.tif 000026
【図１２Ｂ】
2017531933.tif 000027
【図１２Ｃ】
2017531933.tif 000028
【図１２Ｄ】
2017531933.tif 000029
【図１３】
2017531933.tif 000030
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
１次周波数チャネルと２次周波数チャネルとを介した通信システムにおけるワイヤレス通信のための方法であって、
前記１次周波数チャネルを利用してアクセスポイントによって第１の予約フレームを送信することと、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して前記アクセスポイントによって第２の予約フレームを送信することと、前記第２の予約フレームが、前記複数のワイヤレスデバイスとの前記２次周波数チャネルを介したアップリンクおよびダウンリンク通信のために予約された第２の単一の時間間隔を示す、
前記１次周波数チャネルを介してではなく前記２次周波数チャネルを介して確認フレームを受信したことに基づいて前記第１の単一の時間間隔の間の前記１次周波数チャネルの予約を維持するために前記１次周波数チャネルを介して自己への送信可（ＣＴＳ）フレームを前記アクセスポイントによって送信することと、
前記第１の単一の時間間隔中に前記１次周波数チャネルを介して、および前記第２の単一の時間間隔中に前記２次周波数チャネルを介して、の少なくとも１つで前記アクセスポイントと前記複数のワイヤレスデバイスとの間で通信することと
を備える、方法。
【請求項２】
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームと、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームと
のうちの少なくとも１つを前記アクセスポイントによって送信することをさらに備える、請求項１に記載の方法。
【請求項３】
前記第１の単一の時間間隔の間の前記１次周波数チャネルの予約を確認する前記１次周波数チャネルを介した確認フレームと、
前記第２の単一の時間間隔の間の前記２次周波数チャネルの予約を確認する前記２次周波数チャネルを介した確認フレームと
のうちの少なくとも１つを前記アクセスポイントによって受信することをさらに備える、請求項１に記載の方法。
【請求項４】
前記確認フレームがＣＴＳフレームを備える、請求項３に記載の方法。
【請求項５】
前記第１の予約フレームと前記第２の予約フレームとがそれぞれ、送信要求（ＲＴＳ）フレームと、ＣＴＳフレームと、トリガフレームとのうちの１つを備える、請求項１に記載の方法。
【請求項６】
前記アクセスポイントが送信要求フレームを受信したことに基づいて少なくとも前記第１の予約フレームが送信される、請求項１に記載の方法。
【請求項７】
１次周波数チャネルと２次周波数チャネルとを介した通信システムにおけるワイヤレス通信のためのアクセスポイントであって、前記アクセスポイントは、
前記１次周波数チャネルを利用して第１の予約フレームを送信することと、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して第２の予約フレームを送信することと、前記第２の予約フレームが、前記複数のワイヤレスデバイスとの前記２次周波数チャネルを介したアップリンクおよびダウンリンク通信のために予約された第２の単一の時間間隔を示す、
前記１次周波数チャネルを介してではなく前記２次周波数チャネルを介して確認フレームを受信したことに基づいて前記第１の単一の時間間隔の間の前記１次周波数チャネルの予約を維持するために前記１次周波数チャネルを介して自己への送信可（ＣＴＳ）フレームを送信することと、
前記第１の単一の時間間隔中に前記１次周波数チャネルを介して、および前記第２の単一の時間間隔中に前記第２の周波数チャネルを介して、の少なくとも１つで前記複数のワイヤレスデバイスと通信することと
を行うようにトランシーバに命令するように構成されたプロセッサ
を備える、アクセスポイント。
【請求項８】
前記プロセッサが、
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームと、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームと
のうちの少なくとも１つを送信するように前記トランシーバに命令するようにさらに構成された、請求項７に記載のアクセスポイント。
【請求項９】
前記トランシーバが、
前記第１の単一の時間間隔の間の前記１次周波数チャネルの予約を確認する前記１次周波数チャネルを介した確認フレームと、
前記第２の単一の時間間隔の間の前記２次周波数チャネルの予約を確認する前記２次周波数チャネルを介した確認フレームと
のうちの少なくとも１つを受信するようにさらに構成された、請求項７に記載のアクセスポイント。
【請求項１０】
前記確認フレームがＣＴＳフレームを備える、請求項９に記載のアクセスポイント。
【請求項１１】
前記第１の予約フレームと前記第２の予約フレームとが、送信要求（ＲＴＳ）フレームと、自己へのＣＴＳフレームと、トリガフレームとのうちの１つを備える、請求項７に記載のアクセスポイント。
【請求項１２】
前記プロセッサは、さらに構成され、前記トランシーバが送信要求フレームを受信したことに基づいて少なくとも前記第１の予約フレームを送信するように前記トランシーバに命令する、請求項７に記載のアクセスポイント。
【請求項１３】
実行されたとき、１次周波数チャネルと２次周波数チャネルとを介した通信システムにおけるワイヤレス通信のためのアクセスポイントに、
前記１次周波数チャネルを利用して第１の予約フレームを送信することと、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して第２の予約フレームを送信することと、前記第２の予約フレームが、前記複数のワイヤレスデバイスとの前記２次周波数チャネルを介したアップリンクおよびダウンリンク通信のために予約された第２の単一の時間間隔を示す、
前記１次周波数チャネルを介してではなく前記２次周波数チャネルを介して確認フレームを受信したことに基づいて前記第１の単一の時間間隔の間の前記１次周波数チャネルの予約を維持するために前記１次周波数チャネルを介して自己への送信可（ＣＴＳ）フレームを送信することと、
前記第１の単一の時間間隔中に前記１次周波数チャネルを介しておよび前記第２の単一の時間間隔中に前記２次周波数チャネルを介して前記アクセスポイントと前記複数のワイヤレスデバイスとの間で通信することと
を行わせるコードを備える非一時的コンピュータ可読媒体。
【請求項１４】
前記コードが、実行されたとき、
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームと、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームと
のうちの少なくとも１つを送信することを前記アクセスポイントにさらに行わせる、請求項１３に記載の媒体。
【請求項１５】
前記コードが、実行されたとき、
前記第１の単一の時間間隔の間の前記１次周波数チャネルの予約を確認する前記１次周波数チャネルを介した確認フレームと、
前記第２の単一の時間間隔の間の前記２次周波数チャネルの予約を確認する前記２次周波数チャネルを介した確認フレームと
のうちの少なくとも１つを送信することを前記アクセスポイントにさらに行わせる、請求項１３に記載の媒体。
【請求項１６】
前記確認フレームがＣＴＳフレームを備える、請求項１５に記載の媒体。
【請求項１７】
前記第１の予約フレームと前記第２の予約フレームとがそれぞれ、送信要求（ＲＴＳ）フレームと、自己へのＣＴＳフレームと、トリガフレームとのうちの１つを備える、請求項１３に記載の媒体。
【請求項１８】
前記アクセスポイントが送信要求フレームを受信したことに基づいて少なくとも前記第１の予約フレームが送信される、請求項１３に記載の媒体。
【請求項１９】
１次周波数チャネルと２次周波数チャネルとを介した通信システムにおけるワイヤレス通信のためのアクセスポイントであって、前記アクセスポイントは、
前記１次周波数チャネルを利用して第１の予約フレームを送信するための手段と、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して第２の予約フレームを送信するための手段と、前記第２の予約フレームが、複数のワイヤレスデバイスとの前記２次周波数チャネルを介したアップリンクおよびダウンリンク通信のために予約された第２の単一の時間間隔を示す、
前記１次周波数チャネルを介してではなく前記２次周波数チャネルを介して前記確認フレームを受信したことに基づいて前記第１の単一の時間間隔の間の前記１次周波数チャネルの予約を維持するために前記１次周波数チャネルを介して自己への送信可（ＣＴＳ）フレームを送信するための手段と、
前記第１の単一の時間間隔中に前記１次周波数チャネルを介しておよび前記第２の単一の時間間隔中に前記２次周波数チャネルを介して前記アクセスポイントと前記複数のワイヤレスデバイスとの間で通信するための手段と
を備える、アクセスポイント。
【請求項２０】
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームを送信するための手段と、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームを送信するための手段と
のうちの少なくとも１つをさらに備える、請求項１９に記載のアクセスポイント。
【請求項２１】
前記第１の単一の時間間隔の間の前記１次周波数チャネルの予約を確認する前記１次周波数チャネルを介した確認フレームを受信するための手段と、
前記第２の単一の時間間隔の間の前記２次周波数チャネルの予約を確認する前記２次周波数チャネルを介した確認フレームを受信するための手段と
のうちの少なくとも１つをさらに備える、請求項１９に記載のアクセスポイント。
【請求項２２】
前記確認フレームがＣＴＳフレームを備える、請求項２１に記載のアクセスポイント。
【請求項２３】
前記第１の予約フレームと前記第２の予約フレームとがそれぞれ、送信要求（ＲＴＳ）フレームと、自己への送信可（ＣＴＳ）フレームと、トリガフレームとのうちの１つを備える、請求項１９に記載のアクセスポイント。
【請求項２４】
ＲＴＳフレームを受信したことに基づいて前記少なくとも第１の予約フレームを送信するための手段をさらに備える、請求項１９に記載のアクセスポイント。
【手続補正２】
【補正対象書類名】明細書
【補正対象項目名】００８１
【補正方法】変更
【補正の内容】
【００８１】
[0093]上記は本開示の態様を対象とするが、本開示の他の態様およびさらなる態様は、それの基本的範囲から逸脱することなく考案され得、それの範囲は以下の特許請求の範囲によって決定される。
以下に、本願の出願当初の特許請求の範囲に記載された発明を付記する。
［Ｃ１］
１次周波数チャネルと２次周波数チャネルとを介した通信システムにおけるワイヤレス通信のための方法であって、
前記１次周波数チャネルを利用してアクセスポイントによって第１の予約フレームを送信することと、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して前記アクセスポイントによって第２の予約フレームを送信することと、前記第２の予約フレームが、前記複数のワイヤレスデバイスとの前記２次周波数チャネルを介したアップリンクおよびダウンリンク通信のために予約された第２の単一の時間間隔を示す、
前記第１の単一の時間間隔中に前記１次周波数チャネルを介しておよび前記第２の単一の時間間隔中に前記２次周波数チャネルを介して前記アクセスポイントと前記複数のワイヤレスデバイスとの間で通信することと
を備える、方法。
［Ｃ２］
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームと、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームと
のうちの少なくとも１つを前記アクセスポイントによって送信することをさらに備える、Ｃ１に記載の方法。
［Ｃ３］
前記第１の単一の時間間隔の間の前記１次周波数チャネルの予約を確認する前記１次周波数チャネルを介した確認フレームと、
前記第２の単一の時間間隔の間の前記２次周波数チャネルの予約を確認する前記２次周波数チャネルを介した確認フレームと
のうちの少なくとも１つを前記アクセスポイントによって受信することをさらに備える、Ｃ１に記載の方法。
［Ｃ４］
前記１次周波数チャネルを介してではなく前記２次周波数チャネルを介して前記確認フレームを受信したことに基づいて前記第２の単一の時間間隔の間の前記１次周波数チャネルの予約を維持するために前記１次周波数チャネルを介して自己への送信可（ＣＴＳ）フレームを前記アクセスポイントによって送信することをさらに備える、Ｃ３に記載の方法。
［Ｃ５］
前記確認フレームがＣＴＳフレームを備える、Ｃ３に記載の方法。
［Ｃ６］
前記第１の予約フレームと前記第２の予約フレームとがそれぞれ、送信要求（ＲＴＳ）フレームと、ＣＴＳフレームと、トリガフレームとのうちの１つを備える、Ｃ１に記載の方法。
［Ｃ７］
前記アクセスポイントが送信要求フレームを受信したことに基づいて少なくとも前記第１の予約フレームが送信される、Ｃ１に記載の方法。
［Ｃ８］
１次周波数チャネルと２次周波数チャネルとを介した通信システムにおけるワイヤレス通信のためのアクセスポイントであって、前記アクセスポイントは、
前記１次周波数チャネルを利用して第１の予約フレームを送信することと、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して第２の予約フレームを送信することと、前記第２の予約フレームが、前記複数のワイヤレスデバイスとの前記２次周波数チャネルを介したアップリンクおよびダウンリンク通信のために予約された第２の単一の時間間隔を示す、
前記第１の単一の時間間隔中に前記１次周波数チャネルを介しておよび前記第２の単一の時間間隔中に前記第２の周波数チャネルを介して前記複数のワイヤレスデバイスと通信することと
を行うようにトランシーバに命令するように構成されたプロセッサ
を備える、アクセスポイント。
［Ｃ９］
前記プロセッサが、
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームと、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームと
のうちの少なくとも１つを送信するように前記トランシーバに命令するようにさらに構成された、Ｃ８に記載のアクセスポイント。
［Ｃ１０］
前記トランシーバが、
前記第１の単一の時間間隔の間の前記１次周波数チャネルの予約を確認する前記１次周波数チャネルを介した確認フレームと、
前記第２の単一の時間間隔の間の前記２次周波数チャネルの予約を確認する前記２次周波数チャネルを介した確認フレームと
のうちの少なくとも１つを受信するようにさらに構成された、Ｃ８に記載のアクセスポイント。
［Ｃ１１］
前記プロセッサは、前記トランシーバが前記１次周波数チャネルを介してではなく前記２次周波数チャネルを介して前記確認フレームを受信したことに基づいて前記第２の単一の時間間隔の間の前記１次周波数チャネルの予約を維持するために前記１次周波数チャネルを介して自己への送信可（ＣＴＳ）フレームを送信するように前記トランシーバに命令するようにさらに構成された、Ｃ１０に記載のアクセスポイント。
［Ｃ１２］
前記確認フレームがＣＴＳフレームを備える、Ｃ１０に記載のアクセスポイント。
［Ｃ１３］
前記第１の予約フレームと前記第２の予約フレームとが、送信要求（ＲＴＳ）フレームと、自己へのＣＴＳフレームと、トリガフレームとのうちの１つを備える、Ｃ８に記載のアクセスポイント。
［Ｃ１４］
前記プロセッサは、さらに構成され、前記トランシーバが送信要求フレームを受信したことに基づいて少なくとも前記第１の予約フレームを送信するように前記トランシーバに命令する、Ｃ８に記載のアクセスポイント。
［Ｃ１５］
実行されたとき、１次周波数チャネルと２次周波数チャネルとを介した通信システムにおけるワイヤレス通信のためのアクセスポイントに、
前記１次周波数チャネルを利用して第１の予約フレームを送信することと、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して第２の予約フレームを送信することと、前記第２の予約フレームが、前記複数のワイヤレスデバイスとの前記２次周波数チャネルを介したアップリンクおよびダウンリンク通信のために予約された第２の単一の時間間隔を示す、
前記第１の単一の時間間隔中に前記１次周波数チャネルを介しておよび前記第２の単一の時間間隔中に前記２次周波数チャネルを介して前記アクセスポイントと前記複数のワイヤレスデバイスとの間で通信することと
を行わせるコードを備える非一時的コンピュータ可読媒体。
［Ｃ１６］
前記コードが、実行されたとき、
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームと、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームと
のうちの少なくとも１つを送信することを前記アクセスポイントにさらに行わせる、Ｃ１５に記載の媒体。
［Ｃ１７］
前記コードが、実行されたとき、
前記第１の単一の時間間隔の間の前記１次周波数チャネルの予約を確認する前記１次周波数チャネルを介した確認フレームと、
前記第２の単一の時間間隔の間の前記２次周波数チャネルの予約を確認する前記２次周波数チャネルを介した確認フレームと
のうちの少なくとも１つを送信することを前記アクセスポイントにさらに行わせる、Ｃ１５に記載の媒体。
［Ｃ１８］
前記コードが、実行されたとき、前記１次周波数チャネルを介してではなく前記２次周波数チャネルを介して前記確認フレームを受信したことに基づいて前記第２の単一の時間間隔の間の前記１次周波数チャネルの予約を維持するために前記１次周波数チャネルを介して自己への送信可（ＣＴＳ）フレームを送信することを前記アクセスポイントにさらに行わせる、Ｃ１７に記載の媒体。
［Ｃ１９］
前記確認フレームがＣＴＳフレームを備える、Ｃ１７に記載の媒体。
［Ｃ２０］
前記第１の予約フレームと前記第２の予約フレームとがそれぞれ、送信要求（ＲＴＳ）フレームと、自己へのＣＴＳフレームと、トリガフレームとのうちの１つを備える、Ｃ１５に記載の媒体。
［Ｃ２１］
前記アクセスポイントが送信要求フレームを受信したことに基づいて少なくとも前記第１の予約フレームが送信される、Ｃ１５に記載の媒体。
［Ｃ２２］
１次周波数チャネルと２次周波数チャネルとを介した通信システムにおけるワイヤレス通信のためのアクセスポイントであって、前記アクセスポイントは、
前記１次周波数チャネルを利用して第１の予約フレームを送信するための手段と、前記第１の予約フレームが、複数のワイヤレスデバイスとの前記１次周波数チャネルを介したアップリンクおよびダウンリンク通信のために予約された第１の単一の時間間隔を示す、
前記２次周波数チャネルを利用して第２の予約フレームを送信するための手段と、前記第２の予約フレームが、複数のワイヤレスデバイスとの前記２次周波数チャネルを介したアップリンクおよびダウンリンク通信のために予約された第２の単一の時間間隔を示す、
前記第１の単一の時間間隔中に前記１次周波数チャネルを介しておよび前記第２の単一の時間間隔中に前記２次周波数チャネルを介して前記アクセスポイントと前記複数のワイヤレスデバイスとの間で通信するための手段と
を備える、アクセスポイント。
［Ｃ２３］
前記１次周波数チャネルを介して確認フレームを受信しないことに基づいて前記１次周波数チャネル上で前記第１の単一の時間間隔をクリアするための前記１次周波数チャネルを介したコンテンションフリー終了フレームを送信するための手段と、
前記２次周波数チャネルを介して確認フレームを受信しないことに基づいて前記２次周波数チャネル上で前記第２の単一の時間間隔をクリアするための前記２次周波数チャネルを介したコンテンションフリー終了フレームを送信するための手段と
のうちの少なくとも１つをさらに備える、Ｃ２２に記載のアクセスポイント。
［Ｃ２４］
前記第１の単一の時間間隔の間の前記１次周波数チャネルの予約を確認する前記１次周波数チャネルを介した確認フレームを受信するための手段と、
前記第２の単一の時間間隔の間の前記２次周波数チャネルの予約を確認する前記２次周波数チャネルを介した確認フレームを受信するための手段と
のうちの少なくとも１つをさらに備える、Ｃ２２に記載のアクセスポイント。
［Ｃ２５］
前記１次周波数チャネルを介してではなく前記２次周波数チャネルを介して前記確認フレームを受信したことに基づいて前記第２の単一の時間間隔の間の前記１次周波数チャネルの予約を維持するために前記１次周波数チャネルを介して自己への送信可（ＣＴＳ）フレームを送信するための手段をさらに備える、Ｃ２４に記載のアクセスポイント。
［Ｃ２６］
前記確認フレームがＣＴＳフレームを備える、Ｃ２４に記載のアクセスポイント。
［Ｃ２７］
前記第１の予約フレームと前記第２の予約フレームとがそれぞれ、送信要求（ＲＴＳ）フレームと、自己への送信可（ＣＴＳ）フレームと、トリガフレームとのうちの１つを備える、Ｃ２２に記載のアクセスポイント。
［Ｃ２８］
ＲＴＳフレームを受信したことに基づいて前記少なくとも第１の予約フレームを送信するための手段をさらに備える、Ｃ２２に記載のアクセスポイント。
【手続補正３】
【補正対象書類名】図面
【補正対象項目名】図１３
【補正方法】変更
【補正の内容】
【図１３】
2017531933.tif 000031
【国際調査報告】
2017531933.tif 000032
2017531933.tif 000033
2017531933.tif 000034